(57)【要約】      （修正有）【課題】複数のコンポーネントキャリア（ＣＣ）を通してウルトラローレイテンシ（ＵＬＬ）通信を管理する技法を提供する。【解決手段】ワイヤレスネットワークにおいてＵＥは、ＣＣのセットをアグリゲートするための構成を受信する。ＣＣのセットは、少なくともプライマリセルおよびセカンダリセルを含む。受信した構成に基づいて、レガシー通信のために少なくともプライマリセルと通信することができる。レガシー通信は、第１の期間を有する第１の送信時間間隔（ＴＴＩ）に基づく。受信した構成に基づいて、ＵＬＬ通信のためにプライマリセルおよびセカンダリセルと通信することができる。ＵＬＬ通信は、第１の期間未満である第２の期間を有する第２のＴＴＩに基づく。【選択図】図５
2018164308.tif 000002
【特許請求の範囲】
【請求項１】
複数のコンポーネントキャリア（ＣＣ）を通してウルトラローレイテンシ（ＵＬＬ）通信を管理する方法であって、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための、少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と
を備える、方法。
【請求項２】
前記受信した構成に基づいて、レガシー通信のための前記セカンダリセルと通信することをさらに備える、
請求項１に記載の方法。
【請求項３】
前記受信することは、
前記プライマリセルまたは前記セカンダリセルのうちの前記少なくとも１つとのレガシー通信をアクティベートするために、前記プライマリセルまたは前記セカンダリセルのうちの前記少なくとも１つのためのアクティベーションコマンドを受信することをさらに備える、
請求項１に記載の方法。
【請求項４】
前記プライマリセルまたは前記セカンダリセルのうちの前記少なくとも１つとＵＬＬ通信するためのデアクティベーションコマンドを受信することをさらに備える、
請求項１に記載の方法。
【請求項５】
前記セカンダリセルとのＵＬＬ通信をデアクティベートするとともに、前記セカンダリセルとのレガシー通信をアクティベートするためのアクティベーションコマンドを受信することをさらに備える、
請求項４に記載の方法。
【請求項６】
前記プライマリセルまたは前記セカンダリセルのうちの前記少なくとも１つとのレガシーまたはＵＬＬ通信をアクティベートまたはデアクティベートするためのレイテンシを決定することをさらに備え、ここで、前記レイテンシは、
前記アクティベートすることまたは前記デアクティベートすることが前記第１のＴＴＩまたは前記第２のＴＴＩに基づく通信のためであるかどうか、または
前記ＵＥが前記アクティベートすることまたは前記デアクティベートすることの前および後に少なくとも１つのＴＴＩを使用してセルと通信するかどうか
のうちの少なくとも１つの関数である、
請求項１に記載の方法。
【請求項７】
前記レイテンシを決定することは、
前記ＵＥが前記アクティベートする前にレガシー通信またはＵＬＬ通信を使用して前記セルと通信していない時の第１のレイテンシを決定すること、または
前記ＵＥが前記アクティベートする前にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
請求項６に記載の方法。
【請求項８】
前記レイテンシを決定することは、
前記ＵＥが前記アクティベートした後にレガシー通信またはＵＬＬ通信を使用して前記セルと通信していない時の第１のレイテンシを決定すること、または
前記ＵＥが前記アクティベートした後にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
請求項６に記載の方法。
【請求項９】
ＵＬＬ通信のための前記プライマリセルまたは前記セカンダリセルのうちの前記少なくとも１つと通信することは、ダウンリンク通信およびアップリンク通信の両方のために前記ＵＬＬ通信を使用して前記プライマリセルまたは前記セカンダリセルのうちの前記少なくとも１つと通信することを備える、
請求項１に記載の方法。
【請求項１０】
ＵＬＬ通信のための前記プライマリセルまたは前記セカンダリセルのうちの前記少なくとも１つと通信することは、ダウンリンク通信またはアップリンク通信のいずれかのために前記ＵＬＬ通信を使用して前記プライマリセルまたは前記セカンダリセルのうちの前記少なくとも１つと通信することを備える、
請求項１に記載の方法。
【請求項１１】
前記第２のＴＴＩは、１つのシンボル、２つのシンボル、または１つのスロットのうちの少なくとも１つを備える、
請求項１に記載の方法。
【請求項１２】
複数のコンポーネントキャリア（ＣＣ）を通してウルトラローレイテンシ（ＵＬＬ）通信を管理する装置であって、
少なくとも１つのプロセッサと、
前記少なくとも１つのプロセッサと通信可能に結合されるメモリと
を備え、前記少なくとも１つのプロセッサは、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と
を行うように構成される、装置。
【請求項１３】
前記少なくとも１つのプロセッサは、前記受信した構成に基づいて、レガシー通信のための前記セカンダリセルと通信することを行うようにさらに構成される、
請求項１２に記載の装置。
【請求項１４】
前記装置は、トランシーバをさらに備え、前記少なくとも１つのプロセッサは、ワイヤレスネットワークにおける信号を通信するために、バスを介して、前記トランシーバと通信可能に結合され、前記少なくとも１つのプロセッサは、前記トランシーバを介して、前記プライマリセルまたは前記セカンダリセルのうちの前記少なくとも１つとのレガシー通信をアクティベートするための、前記プライマリセルまたは前記セカンダリセルのうちの前記少なくとも１つのための、少なくとも部分的にアクティベーションコマンドを通じて前記構成を受信することを行うようにさらに構成される、
請求項１３に記載の装置。
【請求項１５】
前記少なくとも１つのプロセッサは、前記プライマリセルまたは前記セカンダリセルのうちの少なくとも１つとのＵＬＬ通信のためのデアクティベーションコマンドを受信することを行うように構成される、
請求項１２に記載の装置。
【請求項１６】
前記少なくとも１つのプロセッサは、前記プライマリセルまたは前記セカンダリセルのうちの前記少なくとも１つとのＵＬＬ通信をデアクティベートするとともに、前記プライマリセルまたは前記セカンダリセルのうちの前記少なくとも１つとのレガシー通信をアクティベートするためのアクティベーションコマンドを受信することを行うようにさらに構成される、
請求項１５に記載の装置。
【請求項１７】
前記少なくとも１つのプロセッサは、前記プライマリセルまたは前記セカンダリセルのうちの前記少なくとも１つとのレガシーまたはＵＬＬ通信をアクティベートまたはデアクティベートするためのレイテンシを決定することを行うようにさらに構成され、ここで、前記レイテンシは、
前記アクティベートすることまたは前記デアクティベートすることが前記第１のＴＴＩまたは前記第２のＴＴＩに基づく通信のためであるかどうか、または
前記ＵＥが前記アクティベートすることまたは前記デアクティベートすることの前および後に少なくとも１つのＴＴＩを使用してセルと通信するかどうか
のうちの少なくとも１つの関数である、
請求項１２に記載の装置。
【請求項１８】
前記レイテンシを決定することは、
前記ＵＥが前記アクティベートする前にレガシー通信またはＵＬＬ通信を使用して前記セルと通信していない時の第１のレイテンシを決定すること、または
前記ＵＥが前記アクティベートする前にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
請求項１７に記載の装置。
【請求項１９】
前記レイテンシを決定することは、
前記ＵＥが前記アクティベートした後にレガシー通信またはＵＬＬ通信を使用して前記セルと通信していない時の第１のレイテンシを決定すること、または
前記ＵＥが前記アクティベートした後にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
請求項１７に記載の装置。
【請求項２０】
前記少なくとも１つのプロセッサは、ダウンリンク通信およびアップリンク通信の両方のために前記ＵＬＬ通信を使用して前記プライマリセルまたは前記セカンダリセルのうちの少なくとも１つと少なくとも部分的に通信することにより、ＵＬＬ通信のための前記プライマリセルまたは前記セカンダリセルのうちの前記少なくとも１つと通信することを行うように構成される、
請求項１２に記載の装置。
【請求項２１】
前記少なくとも１つのプロセッサは、ダウンリンク通信またはアップリンク通信のいずれかのために前記ＵＬＬ通信を使用して前記プライマリセルまたは前記セカンダリセルのうちの前記少なくとも１つと通信することを行うように構成される、
請求項１２に記載の装置。
【請求項２２】
前記第２のＴＴＩは、１つのシンボル、２つのシンボル、または１つのスロットのうちの少なくとも１つを備える、
請求項１２に記載の装置。
【請求項２３】
複数のコンポーネントキャリア（ＣＣ）を通してウルトラローレイテンシ（ＵＬＬ）通信を管理する装置であって、
ＣＣのセットをアグリゲートするための構成を受信するための手段、ここにおいて、前記ＣＣのセットは、少なくともプライマリセルとセカンダリセルとを含む、と、
前記受信した構成に基づいてレガシー通信のための少なくとも前記プライマリセルと通信するための手段、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信するための手段、ここにおいて、前記ＵＬＬ通信は、前記第１の期間未満である第２の期間を有する第２のＴＴＩに基づく、と
を備える、装置。
【請求項２４】
前記受信した構成に基づいて、レガシー通信のための前記セカンダリセルと通信するための手段をさらに備える、
請求項２３に記載の装置。
【請求項２５】
前記受信することは、
前記プライマリセルまたは前記セカンダリセルのうちの前記少なくとも１つとのレガシー通信をアクティベートするために、前記プライマリセルまたは前記セカンダリセルのうちの前記少なくとも１つのためのアクティベーションコマンドを受信することをさらに備える、
請求項２４に記載の装置。
【請求項２６】
前記プライマリセルまたは前記セカンダリセルのうちの前記少なくとも１つとＵＬＬ通信するためのデアクティベーションコマンドを受信するための手段をさらに備える、
請求項２３に記載の装置。
【請求項２７】
複数のコンポーネントキャリア（ＣＣ）を通してウルトラローレイテンシ（ＵＬＬ）通信を管理するコンピュータ実行可能コードを備えるコンピュータ可読記憶媒体であって、前記コンピュータ実行可能コードは、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と
を行うコードを備える、コンピュータ可読記憶媒体。
【請求項２８】
前記受信した構成に基づいて、レガシー通信のための前記セカンダリセルと通信することを行うコードをさらに備える、
請求項２７に記載のコンピュータ可読記憶媒体。
【請求項２９】
前記プライマリセルまたは前記セカンダリセルのうちの前記少なくとも１つとのレガシー通信をアクティベートするために、前記プライマリセルまたは前記セカンダリセルのうちの前記少なくとも１つのためのアクティベーションコマンドを受信することを行うコードをさらに備える、
請求項２７に記載のコンピュータ可読記憶媒体。
【請求項３０】
前記プライマリセルまたは前記セカンダリセルのうちの前記少なくとも１つとＵＬＬ通信するためのデアクティベーションコマンドを受信することを行うコードをさらに備える、
請求項２７に記載のコンピュータ可読記憶媒体。
【発明の詳細な説明】
【関連出願の相互参照】
【０００１】
[0001]本出願は、２０１５年１月１２日に出願された「TECHNIQUES FOR MANAGING WIRELESS COMMUNICATIONS OVER MULTIPLE CARRIERS」という名称の仮出願第６２／１０２，３０３号、および２０１５年１２月８日に出願された「TECHNIQUES FOR MANAGING WIRELESS COMMUNICATIONS OVER MULTIPLE CARRIERS」という名称の米国特許出願第１４／９６２，８７１号に対する優先権を主張するものであり、これらの出願は、その全体が参照により本明細書に明確に組み込まれる。
【背景技術】
【０００２】
[0002]本明細書では、一般に、通信システムに関する態様、より詳細には、多数のキャリアを通してワイヤレス通信を管理することに関する態様について説明される。
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを提供するために様々な電気通信規格において採用されてきた。電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションシステム（ＵＭＴＳ）のモバイル規格の拡張のセットである。ＬＴＥは、スペクトル効率を改善することによってモバイルブロードバンドインターネットアクセスをより良好にサポートすることと、コストを下げることと、サービスを改善することと、新しいスペクトルを利用することと、ダウンリンク（ＤＬ）上ではＯＦＤＭＡ、アップリンク（ＵＬ）上ではＳＣ−ＦＤＭＡ、また多入力多出力（ＭＩＭＯ）アンテナ技術を使用して他のオープン規格とより良好に統合することとを行うように設計される。しかしながら、モバイルブロードバンドアクセスに対する需要が増大し続けるにつれて、ＬＴＥ技術のさらなる改善が必要である。好ましくは、これらの改善は、他の多元接続技術、およびこれらの技術を採用する電気通信規格に適用可能であるべきである。
【０００５】
[0005]レガシーＬＴＥを採用するワイヤレス通信システムでは、特定のｅＮｏｄｅＢ（ｅＮＢ）によってサービスされる複数のＵＥが、１ミリ秒程度のサブフレーム上の送信時間間隔（ＴＴＩ）を用いて１つまたは複数のチャネルを通してｅＮｏｄｅＢと通信するためのリソースをスケジュールされ得る。ＵＥ能力および帯域幅に対する需要が増大するにつれて、通信におけるより低いレイテンシが望まれ得る。
【発明の概要】
【０００６】
[0006]以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図されていない。その唯一の目的は、後に提示されるより詳細な説明の導入として、１つまたは複数の態様のいくつかの概念を簡略化された形で提示することである。
【０００７】
[0007]一例によれば、複数のコンポーネントキャリア（ＣＣ）を通してウルトラローレイテンシ（ＵＬＬ：ultra low latency）を管理する方法が提供される。方法は、ＣＣのセットをアグリゲートするための構成を受信することを含み、ここで、ＣＣのセットは、少なくともプライマリセルとセカンダリセルとを含む。方法はまた、受信した構成に基づいて、レガシー通信のための、少なくともプライマリセルと通信すること、ここにおいて、レガシー通信は、第１の期間を有する第１の送信時間間隔（ＴＴＩ）に基づく、と、受信した構成に基づいて、ＵＬＬ通信のためのプライマリセルまたはセカンダリセルのうちの少なくとも１つと通信すること、ここにおいて、ＵＬＬ通信は、第１の期間未満である第２の期間を有する第２のＴＴＩに基づく、とを含む。
【０００８】
[0008]他の態様では、複数のＣＣを通してＵＬＬ通信を管理するための装置が提供される。装置は、少なくとも１つのプロセッサと、少なくとも１つのプロセッサに通信可能に結合されたメモリとを含む。少なくとも１つのプロセッサは、ＣＣのセットをアグリゲートするための構成を受信することを含み、ここにおいて、ＣＣのセットは、少なくともプライマリセルとセカンダリセルを含む。少なくとも１つのプロセッサはまた、受信した構成に基づいて、レガシー通信のための少なくともプライマリセルと通信すること、ここにおいて、レガシー通信は、第１の期間を有する第１の送信時間間隔（ＴＴＩ）に基づく、と、受信した構成に基づいて、ＵＬＬ通信のためのプライマリセルまたはセカンダリセルのうちの少なくとも１つと通信すること、ここにおいて、ＵＬＬ通信は、第１の期間未満である第２の期間を有する第２のＴＴＩに基づく、とを行うように構成される。
【０００９】
[0009]別の例では、複数のＣＣを通してＵＬＬ通信を管理するための装置が提供される。装置は、ＣＣのセットをアグリゲートするための構成を受信するための手段を含み、ここで、ＣＣのセットは、少なくともプライマリセルとセカンダリセルを含む。装置はまた、受信した構成に基づいて、レガシー通信のための少なくともプライマリセルと通信するための手段、ここにおいて、レガシー通信は、第１の期間を有する第１の送信時間間隔（ＴＴＩ）に基づく、と、受信した構成に基づいて、ＵＬＬ通信のためのプライマリセルまたはセカンダリセルのうちの少なくとも１つと通信する手段、ここにおいて、ＵＬＬ通信は、第１の期間未満である第２の期間を有する第２のＴＴＩに基づく、とを含む。
【００１０】
[0010]他の態様では、複数のＣＣを通してＵＬＬ通信を管理するためのコンピュータ実行可能コードを含むコンピュータ可読記憶媒体が提供される。コードは、ＣＣのセットをアグリゲートするための構成を受信するコードを含み、ここにおいて、ＣＣのセットは、少なくともプライマリセルとセカンダリセルを含む。コードはまた、受信した構成に基づいて、レガシー通信のための少なくともプライマリセルと通信すること、ここにおいて、レガシー通信は、第１の期間を有する第１の送信時間間隔（ＴＴＩ）に基づく、と、受信した構成に基づいて、ＵＬＬ通信のためのプライマリセルまたはセカンダリセルのうちの少なくとも１つと通信すること、ここにおいて、ＵＬＬ通信は、第１の期間未満である第２の期間を有する第２のＴＴＩに基づく、とを行うコードを含む。
【００１１】
[0011]上記の目的および関連する目的を達成するために、１つまたは複数の態様は、以下で十分に説明され、特に特許請求の範囲において指摘される特徴を備える。以下の説明および添付の図面は、１つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むことが意図されている。
【図面の簡単な説明】
【００１２】
[0012]本明細書に説明される態様のより完全な理解を容易にするために、参照番号は、現在、添付図面に作り上げられ、それは、同様の要素が同様の数字で参照される。これらの図面は、本開示を限定するように解釈されるべきではなく、単に例示的になるように意図されるべきである。
【図１】本明細書で説明される態様による、電気通信システムの一例を概念的に示すブロック図。
【図２】本明細書で説明される態様による、アクセスネットワークの一例を示す図。
【図３】本明細書で説明される態様による、アクセスネットワークにおける発展型ＮｏｄｅＢおよびユーザ機器の一例を示す図。
【図４】本明細書で説明される態様による、アップリンク帯域幅割振りの例示的なタイムラインを示す図。
【図５】本明細書で説明される態様による、複数のコンポーネントキャリア（ＣＣ）を通してウルトラローレイテンシ（ＵＬＬ）通信を管理するための例示的なシステムを示す図。
【図６】本明細書で説明される態様による、複数のＣＣを通してＵＬＬおよび／またはレガシー通信技術を使用する通信の例示的な方法のフローチャート。
【図７】本明細書で説明される態様による、複数のＣＣを通してＵＬＬおよび／またはレガシー通信技術を使用する通信を構成することの例示的な方法のフローチャート。
【発明を実施するための形態】
【００１３】
[0020]添付の図面に関して以下に記載される詳細な説明は、様々な構成の説明として意図されており、本明細書で説明される概念が実施され得る唯一の構成を表すことは意図されていない。詳細な説明は、様々な概念の完全な理解を提供する目的で、具体的な詳細を含む。しかしながら、これらの概念がこれらの具体的な詳細なしに実施され得ることが、当業者に明らかであろう。場合によっては、そのような概念を曖昧にすることを回避するために、よく知られている構造および構成要素がブロック図の形態で示される。
【００１４】
[0021]ここで、様々な装置および方法を参照しながら電気通信システムのいくつかの態様が提示される。これらの装置および方法が、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００１５】
[0022]例として、要素、または要素の任意の部分、または要素の任意の組合せが、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体を通して説明される様々な機能を実行するように構成された他の適切なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味すると広く解釈されるものとする。
【００１６】
[0023]したがって、１つまたは複数の態様では、説明される機能は、ハードウェア、ソフトウェア、ファームウェア、またはそれらの任意の組合せで実装され得る。ソフトウェアで実装される場合、機能は、コンピュータ可読媒体上に記憶されるか、またはコンピュータ可読媒体上に１つもしくは複数の命令もしくはコードとして符号化され得る。コンピュータ可読媒体は、コンピュータ記憶媒体を含む。記憶媒体は、コンピュータによってアクセスされ得る任意の利用可能な媒体であってよい。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る任意の他の媒体を備えることができる。本明細書で使用されるときに、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は通常、データを磁気的に再生し、ディスク（disc）は、データをレーザーで光学的に再生する。上記の組合せもコンピュータ可読媒体の範囲内に含まれるべきである。
【００１７】
[0024]本明細書では、ワイヤレス通信におけるトラフィックデータリソースを割り当てることに関係する様々な態様について説明される。例えば、ウルトラローレイテンシ（ＵＬＬ）ワイヤレス技術は、既存のレガシーワイヤレス技術より短い送信時間間隔（ＴＴＩ）に基づいて定義され得る。１つの特定の例では、１ミリ秒（ｍｓ）のＴＴＩ（１つのサブフレーム）に基づく、ロングタームエボリューション（ＬＴＥ）では、ＵＬＬ  ＬＴＥは、サブフレーム未満の期間を有するＴＴＩ（例えば、１つのシンボル、２つのシンボル、１つのサブフレームスロット、等）基づくものとして定義されることができる。この点では、通信におけるより低いレイテンシは、より短く、より頻繁なＴＴＩによって達成される。いくつかの構成では、ＵＥがレガシーＬＴＥおよびＵＬＬ  ＬＴＥリソースを使用する第１のコンポーネントキャリア（ＣＣ）を通して通信するように構成されると同時に、（例えば、アップリンクおよび／またはダウンリンク通信における）レガシーＬＴＥリソースと非ＵＬＬ  ＬＴＥリソース、またはＵＬＬ  ＬＴＥリソースと非レガシーＬＴＥリソースを使用する第２のＣＣを通して通信するようにも構成されることが可能である。ＵＥは、レガシーＬＴＥリソースに基づいて第２のＣＣを通してＵＬＬ  ＬＴＥをアクティベートおよびデアクティベートすることができる、または逆も同様である（例えば、レガシーＬＴＥリソースをアクティベート／デアクティベートするためにＵＬＬ  ＬＴＥを使用する）。ＵＥは、レガシーＬＴＥまたはＵＬＬ  ＬＴＥが第２のＣＣを通してイネーブルにされるかどうかに基づいて、第２のＣＣを通して通信をアクティベート／デアクティベートするためのレイテンシを適宜に決定することができる。さらに、第２のＣＣを通してＵＬＬ  ＬＴＥ通信は、アップリンクおよび／またはダウンリンク通信のうちの少なくとも１つを搬送することに対応し得る。
【００１８】
[0025]最初に図１を参照すると、図は、本明細書で説明される態様による、ワイヤレス通信システム１００の一例を示している。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５は、本明細書でさらに説明されるように、１つまたは複数のＣＣをアクティベート／デアクティベートすることと、１つまたは複数のＵＥ１１５にレガシーまたはＵＬＬ通信を使用して通信するためのリソースを割り振ることとを行うように構成されるスケジューリング構成要素３０２を含み得る。同様に、ＵＥ１１５の１つまたは複数は、アクセスポイント１０５とのレガシーまたはＵＬＬ通信を使用して通信するためのリソースおよび／またはＣＣをアクティベート／デアクティベートすることに関係する情報を受信するように構成される通信コンポーネント３６１を含み得る。アクセスポイント１０５のうちのいくつかは、基地局コントローラ（図示されず）の制御下のＵＥ１１５と通信し得、基地局コントローラは、様々な例におけるコアネットワーク１３０の一部であり得、またはあるアクセスポイント１０５（たとえば、基地局もしくはｅＮＢ）であり得る。アクセスポイント１０５は、バックホールリンク１３２を通じてコアネットワーク１３０と制御情報および／またはユーザデータを通信し得る。例では、アクセスポイント１０５は、ワイヤード通信リンクまたはワイヤレス通信リンクであり得るバックホールリンク１３４を通して互いに直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信し得る。たとえば、通信リンク１２５の各々は、上述の様々な無線技術に従って変調されたマルチキャリア信号であり得る。各変調信号は、異なるキャリア上で送られ、制御情報（例えば、基準信号、制御チャネル、等）、オーバヘッド情報、データ、等を搬送し得る。例えば、多数のキャリアは、多数のセル（例えば、以下で説明するように、１つのプライマリセルおよび１つまたは複数のセカンダリセル、あるいは１つまたは複数の対応するセカンダリセルを持つプライマリセルのセット）と共にあることができる。
【００１９】
[0026]いくつかの例では、ワイヤレス通信システム１００の少なくとも一部分は、ＵＥ１１５のうちの１つまたは複数およびアクセスポイント１０５のうちの１つまたは複数が、別の階層レイヤと比べて低減されたレイテンシを有する階層レイヤ上での送信をサポートするように構成され得る、複数の階層レイヤ上で動作するように構成され得る。いくつかの例では、ハイブリッドＵＥ１１５−ａは、第１のＴＴＩを使用する第１のレイヤ送信（本明細書では「レガシー通信」とも呼ばれる）をサポートする第１の階層レイヤ上と、第１のＴＴＩよりも短くなり得る第２のＴＴＩを使用する第２レイヤ送信（本明細書では「ＵＬＬ通信」とも呼ばれる）をサポートする第２の階層レイヤ上との両方で、アクセスポイント１０５−ａと通信し得る。
【００２０】
[0027]他の例では、第２のレイヤＵＥ１１５−ｂは、第２の階層レイヤのみの上でアクセスポイント１０５−ｂと通信し得る。したがって、ハイブリッドＵＥ１１５−ａおよび第２のレイヤＵＥ１１５−ｂは、第２の階層レイヤ上で通信し得るＵＥ１１５の第２のクラスに属し得、レガシーＵＥ１１５は、第１の階層レイヤのみの上で通信し得るＵＥ１１５の第１のクラスに属し得る。アクセスポイント１０５−ｂおよびＵＥ１１５−ｂは、第２のサブフレームタイプのサブフレームの送信を通じて第２の階層レイヤ上で通信し得る。アクセスポイント１０５−ｂは、第１もしくは第２の階層レイヤのみに関係する通信を送信し得るか、または、第１と第２の両方の階層レイヤの通信を送信し得る。アクセスポイント１０５−ｂが第１と第２の両方の階層レイヤをサポートする場合、通信構成要素３６１は、本明細書で説明されるように、第１および第２の階層レイヤに関係するアクセスポイント１０５−ｂから受信された通信を優先するように構成され得る。
【００２１】
[0028]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを提供し得る。いくつかの例では、アクセスポイント１０５は、トランシーバ基地局、無線基地局、無線トランシーバ、基本サービスセット（ＢＳＳ）、拡張サービスセット（ＥＳＳ）、ＮｏｄｅＢ、ｅＮｏｄｅＢ、ホームＮｏｄｅＢ、ホームｅＮｏｄｅＢ、または何らかの他の適切な用語で呼ばれることがある。基地局のカバレージエリア１１０は、カバレージエリアの一部分のみを構成するセクタ（図示されず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラー無線アクセス技術および／またはＷＬＡＮ無線アクセス技術（ＲＡＴ）などの異なる無線技術を利用し得る。アクセスポイント１０５は、同じまたは異なるアクセスネットワークまたは事業者展開に関連付けられ得る。同じもしくは異なるタイプのアクセスポイント１０５のカバレージエリアを含む、同じもしくは異なる無線技術を利用する、および／または同じもしくは異なるアクセスネットワークに属する、異なるアクセスポイント１０５のカバレージエリアは、重複し得る。
【００２２】
[0029]ＬＴＥ／ＬＴＥ−Ａおよび／またはＵＬＬ  ＬＴＥネットワーク通信システムでは、発展型ＮｏｄｅＢ（ｅＮｏｄｅＢまたはｅＮＢ）という用語は、概して、アクセスポイント１０５を表すために使用され得る。ワイヤレス通信システム１００は、異なるタイプのアクセスポイントが様々な地理的領域にカバレージを提供する、異種ＬＴＥ／ＬＴＥ−Ａ／ＵＬＬ  ＬＴＥネットワークであり得る。たとえば、各アクセスポイント１０５は、通信カバレージをマクロセル、ピコセル、フェムトセル、および／または他のタイプのセルに提供し得る。ピコセル、フェムトセル、および／または他のタイプのセルなどのスモールセルは、低電力ノードすなわちＬＰＮを含み得る。マクロセルは、比較的大きい地理的エリア（たとえば、半径数キロメートル）をカバーし得、ネットワークプロバイダのサービスに加入しているＵＥ１１５による無制限アクセスを可能にし得る。スモールセルは、比較的より小さい地理的エリアをカバーし得、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２３】
[0030]コアネットワーク１３０は、バックホールリンク１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介して、および／またはバックホールリンク１３２を介して（たとえば、コアネットワーク１３０を通じて）直接または間接的に互いに通信し得る。ワイヤレス通信システム１００は、同期動作または非同期動作をサポートし得る。同期動作の場合、アクセスポイント１０５は同様のフレームタイミングを有し得、異なるアクセスポイント１０５からの送信は、近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されても、同期されなくてもよい。本明細書で説明される技法は、同期動作または非同期動作のいずれかのために使用され得る。
【００２４】
[0031]ＵＥ１１５はワイヤレス通信システム１００全体を通して分散され、各ＵＥ１１５は固定または移動であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮｏｄｅＢ、スモールセルｅＮｏｄｅＢ、中継器などと通信することが可能であり得る。ＵＥ１１５はまた、セルラーアクセスネットワークもしくは他のＷＷＡＮアクセスネットワーク、またはＷＬＡＮアクセスネットワークなどの、異なるアクセスネットワークを通して通信することが可能であり得る。
【００２５】
[0032]ワイヤレス通信システム１００に示された通信リンク１２５は、ＵＥ１１５からアクセスポイント１０５へのアップリンク（ＵＬ）送信および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る各階層レイヤの送信を搬送し得る。ＵＥ１１５は、たとえば、多入力多出力（ＭＩＭＯ：Multiple Input Multiple Output）、キャリアアグリゲーション（ＣＡ：carrier aggregation）、多地点協調（ＣｏＭＰ：Coordinated Multi-Point）、複数の接続性、または他のスキームを通じて、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。
【００２６】
[0033]例えば、キャリアアグリゲーションは、データ送信のために同じまたは異なるサービングセル上で２つ以上のコンポーネントキャリアを利用し得る。ＣｏＭＰは、いくつかのアクセスポイント１０５による送信および受信の協調により、ＵＥ１１５のための全体的な送信品質を改善するとともに、ネットワークおよびスペクトル利用を増加させるための技法を含み得る。複数の接続性では、例えば、ＵＥ１１５は、ＵＥ１１５とアクセスポイント１０５との間のアップリンクおよびダウンリンク通信をサポートするように構成された少なくともプライマリセル（ＰＣｅｌｌ）を用いて構成されることができる。ＵＥ１１５と所与のアクセスポイント１０５との間の１つまたは複数の通信リンク１２５の各々のためのＰＣｅｌｌがあることは諒解されたい。加えて、通信リンク１２５の各々は、その上、アップリンクおよび／またはダウンリンク通信をサポートすることができる１つまたは複数のセカンダリセル（ＳＣｅｌｌ）を有することができる。いくつかの例では、ＰＣｅｌｌは、少なくとも制御チャネルを通信するために使用されることができ、ＳＣｅｌｌは、データチャネルを通信するために使用されることができる。ＵＥ１１５は、複数のアクセスポイントと複数のＰＣｅｌｌリンクおよび／または複数のアクセスポイントと複数のＳＣｅｌｌを有し得る。どんな場合でも、複数のキャリア構成においてＵＥ１１５は、各ＰＣｅｌｌおよび／またはＳＣｅｌｌとＣＣを確立することができる。
【００２７】
[0034]上述のように、いくつかの例では、アクセスポイント１０５およびＵＥ１１５は、複数のキャリア上で送信するためにキャリアアグリゲーションを利用し得る。いくつかの例では、アクセスポイント１０５およびＵＥ１１５は、２つ以上の別個のキャリアを使用して、第１のサブフレームタイプを各々が有する１つまたは複数のサブフレームを、フレーム内で第１の階層レイヤにおいて同時に送信し得る。各キャリアは、たとえば、２０ＭＨｚの帯域幅を有し得るが、他の帯域幅が利用されてよい。ハイブリッドＵＥ１１５−ａ、および／または第２のレイヤＵＥ１１５−ｂは、いくつかの例では、別個のキャリアのうちの１つまたは複数の帯域幅よりも大きい帯域幅を有する単一のキャリアを利用して第２の階層レイヤにおいて、１つまたは複数のサブフレームを受信および／または送信し得る。たとえば、第１の階層レイヤにおけるキャリアアグリゲーション方式で４つの別個の２０ＭＨｚキャリアが使用される場合、第２の階層レイヤにおいて単一の８０ＭＨｚキャリアが使用されてよい。８０ＭＨｚキャリアは、４つの２０ＭＨｚキャリアのうちの１つまたは複数によって使用される無線周波数スペクトルと少なくとも部分的に重複する無線周波数スペクトルの一部分を占有し得る。いくつかの例では、第２の階層レイヤタイプのスケーラブルな帯域幅は、さらに拡張されたデータレートを提供するために、上記で説明されたようなより短いＲＴＴを提供する組合せ技法であり得る。
【００２８】
[0035]ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。たとえば、第１の階層レイヤはＦＤＤに従って動作し得、第２の階層レイヤはＴＤＤに従って動作し得る。いくつかの例では、ＯＦＤＭＡ通信信号が、各階層レイヤのＬＴＥダウンリンク送信のために通信リンク１２５において使用され得る一方、シングルキャリア周波数分割多元接続（ＳＣ−ＦＤＭＡ）通信信号が、各階層レイヤにおけるＬＴＥアップリンク送信のために通信リンク１２５において使用され得る。ワイヤレス通信システム１００などのシステムにおける階層レイヤの実装に関する追加の詳細、ならびにそのようなシステムにおける通信に関係する他の特徴および機能が、以下の図を参照しながら以下で与えられる。
【００２９】
[0036]図２は、ＬＴＥまたはＵＬＬ  ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のスモールセルｅＮＢ２０８は、低電力クラスのもので提供されることができ、セル２０２のうちの１つまたは複数と重複するセルラー領域２１０を有し得る。スモールセルｅＮＢ２０８は、フェムトセル（たとえば、ホームｅＮＢ（ＨｅＮＢ））、ピコセル、マイクロセル、またはリモートラジオヘッド（ＲＲＨ）であり得るまたはこれらを提供する。マクロｅＮＢ２０４は各々、それぞれのセル２０２に割り当てられ、セル２０２中のすべてのＵＥ２０６のためにコアネットワーク１３０へのアクセスポイントを提供するように構成される。一態様では、ｅＮＢ２０４（またはスモールセルｅＮＢ２０８）は、本明細書でさらに説明されるように、１つまたは複数のＣＣをアクティベート／デアクティベートすることと、１つまたは複数のＵＥ２０６に対するレガシーまたはＵＬＬ通信を使用して通信するためのリソースを割り振ることとを行うように構成されたスケジューリング構成要素３０２を含み得る。同様に、ＵＥ２０６のうちの１つは、ＣＣをアクティベート／デアクティベートすることに関係する情報および／または、ｅＮＢ２０４および／または２０８とレガシー通信またはＵＬＬ通信を使用して通信するためのリソースを受信するように構成される通信コンポーネント３６１を含み得る。アクセスネットワーク２００のこの例では集中型コントローラはないが、代替的な構成では集中型コントローラが使用され得る。ｅＮＢ２０４は、無線ベアラ制御と、アドミッション制御と、モビリティ制御と、スケジューリングと、セキュリティと、コアネットワーク１３０の１つまたは複数の構成要素への接続性とを含む、すべての無線関連機能を担う。
【００３０】
[0037]アクセスネットワーク２００によって採用される変調方式および多元接続方式は、展開されている特定の電気通信規格に応じて異なる場合がある。ＬＴＥまたはＵＬＬ  ＬＴＥの適用例では、周波数分割複信（ＦＤＤ）と時分割複信（ＴＤＤ）の両方をサポートするために、ＤＬ上ではＯＦＤＭが使用され得、ＵＬ上ではＳＣ−ＦＤＭＡが使用され得る。当業者なら以下の詳細な説明から容易に諒解するように、本明細書で提示される様々な概念は、ＬＴＥの適用例に好適である。しかしながら、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびにＯＦＤＭＡを採用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存する。
【００３１】
[0038]ｅＮＢ２０４は、ＭＩＭＯ技術をサポートする複数のアンテナを有し得る。ＭＩＭＯ技術の使用により、ｅＮＢ２０４は空間領域を活用して、空間多重化と、ビームフォーミングと、送信ダイバーシティとをサポートすることが可能になる。データの異なるストリームを同じ周波数上で同時に送信するために、空間多重化が使用され得る。データスチームは、データレートを上げるために単一のＵＥ２０６に、または全体的なシステム容量を増大させるために複数のＵＥ２０６に送信され得る。これは、各データストリームを空間的にプリコーディングし（すなわち、振幅および位相のスケーリングを適用し）、次いで、空間的にプリコーディングされた各ストリームをＤＬ上で複数の送信アンテナを通じて送信することによって達成される。空間的にプリコーディングされたデータストリームは、異なる空間シグネチャとともにＵＥ２０６に到達し、これにより、ＵＥ２０６の各々は、そのＵＥ２０６に宛てられた１つまたは複数のデータストリームを復元することが可能になる。ＵＬ上では、各ＵＥ２０６は、空間的にプリコーディングされたデータストリームを送信し、これにより、ｅＮＢ２０４は、空間的にプリコーディングされた各データストリームのソースを識別することが可能になる。
【００３２】
[0039]空間多重化は、概して、チャネル状態が良好なときに使用される。チャネル状態があまり好ましくないとき、送信エネルギーを１つまたは複数の方向に集中させるためにビームフォーミングが使用され得る。これは、複数のアンテナを通じた送信のために、データを空間的にプリコーディングすることによって達成され得る。セルのエッジにおいて良好なカバレージを達成するために、送信ダイバーシティと組み合わせてシングルストリームビームフォーミング送信が使用され得る。
【００３３】
[0040]以下の詳細な説明では、アクセスネットワークの様々な態様が、ＤＬ上でＯＦＤＭをサポートするＭＩＭＯシステムを参照しながら説明される。ＯＦＤＭは、ＯＦＤＭシンボル内のいくつかのサブキャリアを通してデータを変調するスペクトラム拡散技法である。サブキャリアは、正確な周波数で離間される。離間は、受信機がサブキャリアからのデータを復元することを可能にする「直交性」をもたらす。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００３４】
[0041]図３は、アクセスネットワーク中でｅＮＢ３１０がＵＥ３５０と通信しているブロック図である。ＤＬでは、コアネットワークからの上位レイヤパケットが、コントローラ／プロセッサ３７５に提供される。コントローラ／プロセッサ３７５は、Ｌ２レイヤの機能を実装する。ＤＬでは、コントローラ／プロセッサ３７５は、ヘッダ圧縮と、暗号化と、パケットのセグメント化および並べ替えと、論理チャネルとトランスポートチャネルとの間の多重化と、様々な優先度メトリックに基づくＵＥ３５０への無線リソース割振りとを行う。コントローラ／プロセッサ３７５はまた、ハイブリッド自動再送／要求（ＨＡＲＱ）演算と、紛失パケットの再送信と、ＵＥ３５０へのシグナリングとを担う。
【００３５】
[0042]送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ）を容易にするためのコーディングおよびインターリービングと、様々な変調方式（たとえば、２位相偏移変調（ＢＰＳＫ）、４位相偏移変調（ＱＰＳＫ）、Ｍ位相偏移変調（Ｍ−ＰＳＫ）、多値直交振幅変調（Ｍ−ＱＡＭ））に基づく信号コンスタレーションへのマッピングとを含む。次いで、コーディングおよび変調されたシンボルが、並列ストリームに分割される。次いで、各ストリームは、ＯＦＤＭサブキャリアにマッピングされ、時間領域および／または周波数領域において基準信号（たとえば、パイロット）と多重化され、次いで、逆高速フーリエ変換（ＩＦＦＴ）を使用して合成されて、時間領域のＯＦＤＭシンボルストリームを搬送する物理チャネルを生成する。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信された基準信号および／またはチャネル状態フィードバックから導出され得る。次いで、各空間ストリームは、別個の送信機３１８ＴＸを介して異なるアンテナ３２０に与えられる。各送信機３１８ＴＸは、送信のためにそれぞれの空間ストリームでＲＦキャリアを変調する。加えて、ｅＮＢ３１０は、本明細書でさらに説明されるように、１つまたは複数のＣＣをアクティベート／デアクティベートすることと、１つまたは複数のＵＥ３５０にレガシーまたはＵＬＬ通信を使用して通信するためのリソースを割り振ることとを行うように構成されたスケジューリング構成要素３０２を含み得る。スケジューリング構成要素３０２がコントローラ／プロセッサに結合されるように示されるが、スケジューリング構成要素３０２がまた、本明細書に説明される動作を実行するために、１つまたは複数のプロセッサ３１６、３７０、３７５によって実装される、および／または他のプロセッサ（例えば、ＲＸプロセッサ３７０、ＴＸプロセッサ３１６、等）に結合されることができることは諒解されたい。
【００３６】
[0043]ＵＥ３５０において、各受信機３５４ＲＸは、それのそれぞれのアンテナ３５２を通じて信号を受信する。各受信機３５４ＲＸは、ＲＦキャリア上に変調された情報を復元し、情報を受信（ＲＸ）プロセッサ３５６に提供する。ＲＸプロセッサ３５６は、Ｌ１レイヤの様々な信号処理機能を実装する。ＲＸプロセッサ３５６は、ＵＥ３５０に宛てられた任意の空間ストリームを復元するために、情報に対して空間処理を実行する。複数の空間ストリームがＵＥ３５０に宛てられた場合、それらは、ＲＸプロセッサ３５６によって単一のＯＦＤＭシンボルストリームに合成され得る。次いで、ＲＸプロセッサ３５６は、高速フーリエ変換（ＦＦＴ）を使用して、ＯＦＤＭＡシンボルストリームを時間領域から周波数領域に変換する。周波数領域信号は、ＯＦＤＭ信号のサブキャリアごとに別個のＯＦＤＭシンボルストリームを備える。各サブキャリア上のシンボルおよび基準信号は、ｅＮＢ３１０によって送信された最も可能性が高い信号コンスタレーションポイントを決定することによって、復元および復調される。これらの軟決定は、チャネル推定器３５８によって計算されたチャネル推定値に基づく場合がある。次いで、軟決定は復号されデインタリーブされて、物理チャネル上でｅＮＢ３１０によって最初に送信されたデータおよび制御信号が復元される。データおよび制御信号は、次いで、コントローラ／プロセッサ３５９に提供される。
【００３７】
[0044]コントローラ／プロセッサ３５９はＬ２レイヤを実装する。コントローラ／プロセッサは、プログラムコードとデータとを記憶するメモリ３６０に関連付けられ得る。メモリ３６０は、コンピュータ可読媒体と呼ばれ得る。ＵＬでは、コントローラ／プロセッサ３５９は、トランスポートチャネルと論理チャネルとの間の逆多重化と、パケットリアセンブリと、暗号解読（decipher）と、ヘッダ解凍（decompression）と、制御信号処理とを行って、コアネットワークからの上位レイヤパケットを復元する。次いで、上位レイヤパケットはデータシンク３６２に提供され、データシンク３６２はＬ２レイヤの上のすべてのプロトコルレイヤを表す。様々な制御信号も、Ｌ３処理のためにデータシンク３６２に提供され得る。コントローラ／プロセッサ３５９はまた、ＨＡＲＱ演算をサポートするために、肯定応答（ＡＣＫ）および／または否定応答（ＮＡＣＫ）のプロトコルを使用する誤り検出を担う。加えて、ＵＥ３５０は、ＣＣをアクティベート／デアクティベートすることに関係する情報および／またはｅＮＢ３１０とレガシーまたはＵＬＬ通信を使用して通信するためのリソースを受信するように構成された通信構成要素３６１を含み得る。通信構成要素３６１は、コントローラ／プロセッサ３５９に結合されるものとして示されているが、通信構成要素３６１がまた、本明細書で説明されるアクションを実行するために、１つまたは複数のプロセッサ３５６、３５９、３６８によって実装される、および／または他のプロセッサ（ＲＸプロセッサ３５６、ＴＸプロセッサ３６８、等）に結合されることができることは諒解されたい。
【００３８】
[0045]ＵＬでは、データソース３６７は、上位レイヤパケットをコントローラ／プロセッサ３５９に与えるために使用される。データソース３６７は、Ｌ２レイヤの上のすべてのプロトコルレイヤを表す。ｅＮＢ３１０によるＤＬ送信に関して説明された機能と同様に、コントローラ／プロセッサ３５９は、ヘッダ圧縮と、暗号化と、パケットのセグメント化および並べ替えと、ｅＮＢ３１０による無線リソース割振りに基づく論理チャネルとトランスポートチャネルとの間の多重化とを行うことによって、ユーザプレーンおよび制御プレーンのためのＬ２レイヤを実装する。また、コントローラ／プロセッサ３５９は、ＨＡＲＱ演算と、紛失パケットの再送信と、ｅＮＢ３１０へのシグナリングとを担う。
【００３９】
[0046]ｅＮＢ３１０によって送信された基準信号またはフィードバックからの、チャネル推定器３５８によって導出されたチャネル推定値は、適切なコーディングおよび変調方式を選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供される。各送信機３５４ＴＸは、送信のためにそれぞれの空間ストリームでＲＦキャリアを変調する。
【００４０】
[0047]ＵＬ送信は、ＵＥ３５０における受信機機能に関連して説明されたのと同じようにしてｅＮＢ３１０において処理される。各受信機３１８ＲＸは、それのそれぞれのアンテナ３２０を通じて信号を受信する。各受信機３１８ＲＸは、ＲＦキャリア上に変調された情報を復元し、情報をＲＸプロセッサ３７０に提供する。ＲＸプロセッサ３７０はＬ１レイヤを実装し得る。
【００４１】
[0048]コントローラ／プロセッサ３７５はＬ２レイヤを実装する。コントローラ／プロセッサ３７５は、プログラムコードとデータとを記憶するメモリ３７６に関連付けられ得る。メモリ３７６は、コンピュータ可読媒体と呼ばれ得る。ＵＬでは、コントローラ／プロセッサ３７５は、トランスポートチャネルと論理チャネルとの間の逆多重化と、パケットリアセンブリと、暗号解読と、ヘッダ解凍と、制御信号処理とを行って、ＵＥ３５０からの上位レイヤパケットを復元する。コントローラ／プロセッサ３７５からの上位レイヤパケットは、コアネットワークに提供され得る。コントローラ／プロセッサ３７５はまた、ＨＡＲＱ演算をサポートするために、ＡＣＫおよび／またはＮＡＣＫのプロトコルを使用する誤り検出を担う。
【００４２】
[0049]図４は、ワイヤレス通信システムにおけるＵＬＬ通信を管理するために、図において時間が左から右に流れるＵＬＬタイムライン４００、４０２の非限定的な例を示す図である。この例では、タイムライン４００、４０２は、サブフレームの各シンボル内にシンボル持続時間のＵＬＬフレームを含む。タイムライン４００と４０２は両方とも、ＵＬＬ物理ダウンリンク制御チャネル（ｕＰＤＣＣＨ）および／またはＵＬＬ物理ダウンリンク共有チャネル（ｕＰＤＳＣＨ）のＴＴＩを表すシンボルと、ＵＬＬ物理アップリンク制御チャネル（ｕＰＵＣＣＨ）および／またはＵＬＬ物理アップリンク共有チャネル（ｕＰＵＳＣＨ）を含むＴＴＩを表すシンボルと、を示す。タイムライン４００において、１４個のシンボルが所与のサブフレーム（たとえば、ノーマルＣＰの場合）内に示されており、またタイムライン４０２において、１２個のシンボルが、所与のサブフレーム（たとえば、拡張ＣＰの場合）内に示されている。いずれの場合も、シンボルベースのＴＴＩを利用することによって、より低いレイテンシがＵＬＬにおいて達成される。他の例では、ＴＴＩが２つ以上のシンボル、サブフレームのスロット（ここでサブフレームは２つのスロットを含む）などであり得ることは諒解されたい。加えて、ＨＡＲＱプロセス応答時間は、３シンボル分（または４シンボル分、３デュアルシンボル分、３スロット分など）となり得る。図示の例では、サブフレーム中で、ｕＰＤＣＣＨ／ｕＰＤＳＣＨがシンボル０において送られ、ＨＡＲＱが処理されてシンボル４において送られ、以下同様である。
【００４３】
[0049]図５〜図７を参照すると、本明細書で説明されるアクションまたは機能を実行することができる１つまたは複数の構成要素および１つまたは複数の方法に関して態様が示されている。一態様では、本明細書で使用されるときに、「構成要素」という用語は、システムを構成する部分のうちの１つであってよく、ハードウェアまたはソフトウェアまたはそれらの何らかの組合せであってよく、他の構成要素に分割され得る。図６および図７において後述される動作は、特定の順序で、および／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアもしくはコンピュータ可読媒体を実行するプロセッサによって、または説明されるアクションもしくは機能を実行することが可能なハードウェア構成要素および／もしくはソフトウェア構成要素の任意の他の組合せによって実行され得ることを理解されたい。
【００４４】
[0051]図５は、レガシーおよび／またはＵＬＬ通信のためのリソースを割り振るための例示的なシステムを示す。システム５００は、ワイヤレスネットワークにアクセスするためにｅＮＢ５０４と通信するＵＥ５０２を含み、この例は、上記の図１〜図３で説明されている（たとえば、アクセスポイント１０５、ｅＮＢ２０４、２０８、ｅＮＢ３１０、ＵＥ１１５、２０６、３５０など）。一態様では、ｅＮＢ５０４およびＵＥ５０２は、キャリアアグリゲーションを使用して複数のＣＣ５０８、５０９（および／または追加のＣＣ）を通して通信することができる。各ＣＣ５０８、５０９について、例えば、ｅＮＢ５０４およびＵＥ５０２は、ダウンリンク信号を通信する際に経由される１つまたは複数のダウンリンクチャネルを確立していることがあり得、このダウンリンク信号は、構成された通信リソースを通してｅＮＢ５０４からＵＥ５０２に制御および／またはデータメッセージ（たとえば、シグナリングにおける）を通信するために、ｅＮＢ５０４によって（たとえば、図示されていないトランシーバ５５６を介して）送信され、ＵＥ５０２によって（たとえば、トランシーバ５０６を介して）受信されることができる。さらに、たとえば、ｅＮＢ５０４およびＵＥ５０２は、各ＣＣ５０８、５０９のためのアップリンク信号５０８を介して通信する際に経由される１つまたは複数のアップリンクチャネルを確立していることがあり、このアップリンク信号は、構成された通信リソースを通してＵＥ５０２からｅＮＢ５０４に制御および／またはデータメッセージ（たとえばシグナリングにおける）を通信するために、ＵＥ５０２によって（たとえばトランシーバ５０６を介して）送信されて、ｅＮＢ５０４によって（たとえばトランシーバ５５６を介して）受信されることができる。別の例では、ＵＥ５０２は、この図に示されていないが、１つのＣＣ５０８を通してｅＮＢ５０４および別のＣＣ５０９を通して別のｅＮＢ（またはｅＮＢ５０４によって提供される別のセル）と通信し得、複数のＣＣを通して両方のｅＮＢ（またはセル）と通信し得る、等がある。さらに、例えば、ＵＥ５０２および／またはｅＮＢ５０４は、キャリアアグリゲーションおよび／または複数の接続性において、ＰＣｅｌｌ  ＣＣとして１つのＣＣ５０８またはＳＣｅｌｌ  ＣＣとして１つまたは複数の他のＣＣ５０９を構成することができる。加えて、例示では、各ＣＣ５０８および／または５０９は、別個のアップリンクＣＣおよびダウンリンクＣＣを含むＣＣのセットであることができる。
【００４５】
[0052]一態様では、ＵＥ５０２は、たとえば１つまたは複数のバス５０７を介して通信可能に結合され得る、１つまたは複数のプロセッサ５０３、および／またはメモリ５０５を含み得、ｅＮＢ５０４からのリソース許可を受信し、リソースを通して通信するために、通信構成要素３６１とともに動作するか、またはそうでない場合は通信構成要素３６１を実装し得、これは、ＵＬＬタイムライン（例えば、図４におけるタイムライン４００、４０２、レガシータイムライン（例えば、１ｍｓサブフレームＴＴＩを持つタイムライン）、等のような期間におけるサブフレーム未満であるＴＴＩを有するタイムライン）に基づき得る。たとえば、通信構成要素３６１に関連する様々な動作は実装され得るか、またはさもなければ１つもしくは複数のプロセッサ５０３によって実行され得、一態様では、単一のプロセッサによって実行され得るが、他の態様では、動作のうちの異なるものが、２つ以上の異なるプロセッサの組合せによって実行され得る。たとえば、一態様では、１つまたは複数のプロセッサ５０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ５０６に関連付けられたトランシーバプロセッサのうちの任意の１つまたは任意の組合せを含んでよい。さらに、たとえば、メモリ５０５は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気ストレージデバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびに、コンピュータまたは１つもしくは複数のプロセッサ５０３によってアクセスされ読み取られ得るソフトウェアおよび／またはコンピュータ可読コードもしくは命令を記憶するための任意の他の適切な媒体を含む非一時的コンピュータ可読媒体であってもよい。さらに、メモリ５０５またはコンピュータ可読記憶媒体は、１つまたは複数のプロセッサ５０３内に存在しても、１つまたは複数のプロセッサ５０３の外部にあっても、１つまたは複数のプロセッサ５０３を含む複数のエンティティを通して分散するなどしてもよい。
【００４６】
[0053]特に、１つまたは複数のプロセッサ５０３および／またはメモリ５０５は、通信構成要素３６１またはそのサブ構成要素によって定義されたアクションまたは動作を実行し得る。たとえば、１つまたは複数のプロセッサ５０３および／またはメモリ５０５は、キャリアアグリゲーション、複数の接続性、等を使用して１つまたは複数のセルと（例えば、１つまたは複数のｅＮＢ５０４と）複数のＣＣを通して通信するための構成を取得するための構成受信構成要素（configuration receiving component）５１０によって定義されるアクションまたは動作を実行し得る。一態様では、例えば、構成受信構成要素５１０は、ハードウェア（たとえば、１つもしくは複数のプロセッサ５０３の１つもしくは複数のプロセッサモジュール）、ならびに／または、本明細書で説明される特別構成の構成受信動作を実行するために、メモリ５０５に記憶され、１つもしくは複数のプロセッサ５０３のうちの少なくとも１つによって実行可能なコンピュータ可読コードもしくは命令を含み得る。さらに、たとえば、１つまたは複数のプロセッサ５０３および／またはメモリ５０５は、ｅＮＢ５０４とのレガシーおよび／またはＵＬＬ通信をアクティベート／デアクティベートするためのオプションの通信アクティベート／デアクティベート構成要素５１２によって定義されたアクションまたは動作を実行し得る。一態様では、たとえば、通信アクティベート／デアクティベート構成要素５１２は、ハードウェア（たとえば、１つもしくは複数のプロセッサ５０３の１つもしくは複数のプロセッサモジュール）、および／または、本明細書で説明される特別構成のＵＬＬソフトバッファ動作を実行するために、メモリ５０５に記憶され、１つもしくは複数のプロセッサ５０３のうちの少なくとも１つによって実行可能なコンピュータ可読コードもしくは命令を含み得る。さらに、例えば、１つまたは複数のプロセッサ５０３および／またはメモリ５０５は、通信をアクティベート／デアクティベートするためのレイテンシを決定するためのオプションのレイテンシ決定構成要素５１４によって定義されたアクションまたは動作をオプションとして実行し得る。一態様では、たとえば、レイテンシ決定構成要素５１４は、ハードウェア（たとえば、１つもしくは複数のプロセッサ５０３の１つもしくは複数のプロセッサモジュール）、および／または、本明細書で説明される特別構成のレイテンシ決定動作を実施するために、メモリ５０５に記憶され１つもしくは複数のプロセッサ５０３のうちの少なくとも１つによって実行可能なコンピュータ可読コードもしくは命令を含み得る。
【００４７】
[0054]同様に、一態様では、ｅＮＢ５０４は、たとえば１つまたは複数のバス５５７を介して通信可能に結合され得る、１つまたは複数のプロセッサ５５３、および／またはメモリ５５５を含み得、リソースに従ってＵＥ５０２および／または他のＵＥのためのリソース許可を生成するためのスケジューリング構成要素３０２とともに動作するか、またはそうでない場合は通信構成要素３６１を実装し得、これは、ＵＬＬタイムライン（例えば、図４におけるタイムライン４００、４０２、レガシータイムライン（例えば、１ｍｓサブフレームＴＴＩを持つタイムライン）、等のような、期間におけるサブフレーム未満であるＴＴＩを有するタイムライン）に基づき得る。たとえば、スケジューリング構成要素３０２に関連する様々な動作は実装され得るか、またはさもなければ１つもしくは複数のプロセッサ５５３によって実行され得、一態様では、単一のプロセッサによって実行され得るが、他の態様では、動作のうちの異なるものが、２つ以上の異なるプロセッサの組合せによって実行され得る。一例では、１つまたは複数のプロセッサ５５３および／またはメモリ５５５がＵＥ５０２の１つまたは複数のプロセッサ５０３および／またはメモリ５０５に関連して以上の例において説明されたように構成されることは諒解されたい。
【００４８】
[0055]特に、１つまたは複数のプロセッサ５５３および／またはメモリ５５５は、スケジューリング構成要素３０２またはそのサブ構成要素によって定義されたアクションまたは動作を実行し得る。たとえば、１つまたは複数のプロセッサ５５３および／またはメモリ５５５は、少なくとも１つのＣＣを通してＵＥ５０２のためのレガシーおよび／またはＵＬＬ通信を構成するための構成構成要素（configuring component）５２０によって定義されるアクションまたは動作を実行し得、ここで、ＵＥ５０２は、キャリアアグリゲーションまたは複数の接続性におけるｅＮＢ５０４または他のｅＮＢ／セルと複数のＣＣを通して別のやり方で構成されることができる。一態様では、たとえば、構成構成要素５２０は、ハードウェア（たとえば、１つもしくは複数のプロセッサ５５３の１つもしくは複数のプロセッサモジュール）、および／または、本明細書で説明される特別構成の通信構成動作を実行するために、メモリ５５５に記憶され１つもしくは複数のプロセッサ５５３のうちの少なくとも１つによって実行可能なコンピュータ可読コードもしくは命令を含み得る。さらに、たとえば、１つまたは複数のプロセッサ５５３および／またはメモリ５５５は、少なくとも１つのＣＣを通してＵＥ５０４とのレガシーおよび／またはＵＬＬ通信をアクティベート／デアクティベートするためのオプションの通信アクティベート／デアクティベート構成要素５２２によって定義されたアクションまたは動作を実行し得る。一態様では、たとえば、通信アクティベート／デアクティベート構成要素５２２は、ハードウェア（たとえば、１つもしくは複数のプロセッサ５５３の１つもしくは複数のプロセッサモジュール）、および／または、本明細書で説明される特別構成のアクティベート／デアクティベート動作を実行するために、メモリ５５５に記憶され１つもしくは複数のプロセッサ５５３のうちの少なくとも１つによって実行可能なコンピュータ可読コードもしくは命令を含み得る。
【００４９】
[0056]トランシーバ５０６、５５６は、１つまたは複数のアンテナ、ＲＦフロントエンド、１つまたは複数の送信機、および１つまたは複数の受信機を通じてワイヤレス信号を送信および受信するように構成されてもよいことは諒解されたい。一態様では、トランシーバ５０６、５５６は、ＵＥ５０２および／またはｅＮＢ５０４が特定の周波数で（１つまたは複数のｅＮＢ５０４と）通信することができるように、指定された周波数で動作するように同調され得る。一態様では、１つまたは複数のプロセッサ５０３は、１つまたは複数のＣＣを通して関連するアップリンクまたはダウンリンク通信チャネルを通してアップリンク信号５０８および／またはダウンリンク信号を通信するために、構成、通信プロトコルなどに基づいて、指定された周波数および電力レベルで動作するように、トランシーバ５０６を構成する、および／または１つまたは複数のプロセッサ５５３は、１つまたは複数のＣＣを通して関連するアップリンクまたはダウンリンク通信チャネルを通してアップリンク信号および／またはダウンリンク信号を通信するために、構成、通信プロトコルなどに基づいて、指定された周波数および電力レベルで動作するように、トランシーバ５５６を構成し得る。
【００５０】
[0057]一態様では、トランシーバ５０６、５５６は、トランシーバ５０６、５５６を使用して送受信されるデジタルデータを処理するように、複数の帯域で（たとえば、マルチバンドマルチモードモデム（図示されず）を使用して）動作し得る。一態様では、トランシーバ５０６、５５６は、マルチバンドであり、特定の通信プロトコルのために複数の周波数帯域をサポートするように構成され得る。一態様では、トランシーバ５０６、５５６は、複数の動作ネットワークおよび通信プロトコルをサポートするように構成され得る。したがって、たとえば、トランシーバ５０６、５５６は、指定されたモデム構成に基づいて信号の送信および／または受信を可能にしてもよい。
【００５１】
[0058]図６は、１つまたは複数のセルとのＵＬＬ通信を（例えば、ＵＥ５０２によって）管理するための例示的な方法６００を示すブロック６０２で、ＵＥ５０２は、ＣＣのセットをアグリゲーションするための構成を受信し得る。そのような一態様では、ＣＣのセットは、少なくともプライマリセルＣＣおよびセカンダリセルＣＣを含み得る。一態様では、構成受信構成要素５１０（図５）は、例えば、プロセッサ５０３、メモリ５０５、および／またはトランシーバ５０６とともに、ＣＣのセットをアグリゲーションするための構成を受信することができる。そのような一態様では、ＣＣのセットは、少なくともプライマリセルＣＣおよびセカンダリセルＣＣを含み得る。一例では、構成受信構成要素５１０は、ｅＮＢ５０４からＣＣのセットのための構成を受信する、および／またはｅＮＢ５０４からＵＥ５０２のために構成されたＣＣのセットのうちの１つまたはサブセットのための構成を受信し得る。構成は、ＣＣのための周波数帯域、ＣＣに割り当てられたセル情報、ＣＣのための通信技術（例えば、レガシーおよび／またはＵＬＬ）、ＣＣを使用して通信する際のリソース、および／または同様のものを指定し得る。一例では、構成受信構成要素５１０は、ｅＮＢ５０４から構成を受信することができ、それは、ＣＣを通してレガシーおよび／またはＵＬＬ通信の利用を指定することができ、ここで、レガシーおよび／またはＵＬＬ通信は、ＣＣを通してアップリンクまたはダウンリンク通信のうちの１つまたは複数に関係することができる。一例では、構成は、（例えば、ｅＮＢ５０４および／または他のｅＮＢのセルとの）キャリアアグリゲーションおよび／または（例えば、複数のＰＣｅｌｌ  ＣＣおよび対応するＳＣｅｌｌ  ＣＣとの）複数の接続性におけるＰＣｅｌｌ  Ｃｃおよび１つまたは複数のＳＣｅｌｌ  ＣＣに関係することができる。一例では、ＰＣｅｌｌ  ＣＣは、ＵＥ５０２がＰＣｅｌｌ  ＣＣおよび／または１つまたは複数のＳＣｅｌｌ  ＣＣ上でのリソース許可のために探索することができる共通探索空間を含むことができる。
【００５２】
[0059]ブロック６０４で、ＵＥ５０２は、受信した構成に基づいて、レガシー通信のための少なくともプライマリセルと通信し得る。一態様では、通信構成要素３６１は、例えば、プロセッサ５０３、メモリ５０５、および／またはトランシーバ５０６とともに、受信した構成に基づいて、レガシー通信のための少なくともプライマリセルと通信することができる。説明したように、レガシー通信は、ＵＬＬ通信が基づく、第２のＴＴＩの第２の期間より長い、第１の期間の第１のＴＴＩに基づくことができる。一例では、通信構成要素３６１は、プライマリセルＣＣ（例えば、ＣＣ５０８）を通してｅＮＢ５０４と通信することができる。説明したように、例えば、構成は、プライマリセルを通して通信することに関係する１つまたは複数のパラメータ（例えば、周波数帯、セル情報、通信技術、アップリンク／ダウンリンク制御および／またはデータ通信のためのリソース、等）を指定することができる。従って、通信構成要素３６１は、少なくともレガシー通信（例えば、レガシーＬＴＥ）を使用して（例えば、ＣＣ５０８を通して）プライマリセルを使用するｅＮＢ５０４と通信するために、１つまたは複数のパラメータを利用することができる。一例では、ＵＥ５０２は、（例えば、ＣＣ５０８を通して）ｅＮＢ５０４とのプライマリセル通信を通して構成を受信し得る。
【００５３】
[0060]ブロック６０６で、ＵＥ５０２は、受信した構成に基づいて、ＵＬＬ通信のためのプライマリセルまたはセカンダリセルのうちの少なくとも１つと通信し得る。一態様では、通信構成要素３６１は、例えば、プロセッサ５０３、メモリ５０５、および／またはトランシーバ５０６とともに、受信した構成に基づいて、ＵＬＬ通信のためのプライマリセルまたはセカンダリセルのうちの少なくとも１つと通信することができる。これは、プライマリセルＣＣおよびセカンダリセルＣＣ（例えば、それぞれＣＣ５０８、５０９）を通してｅＮＢ５０４と通信することを含むことができる、および／またはプライマリセルＣＣを通してｅＮＢ５０４と、セカンダリセルＣＣを通してセルのうちの１つを提供する（示されていない）別のｅＮＢと通信することを含むことができる。説明したように、例えば、構成は、プライマリおよびセカンダリセルを通して通信することに関係する１つまたは複数のパラメータ（例えば、周波数帯域、セル情報、通信技術、アップリンク／ダウンリンク制御および／またはデータ通信のためのリソース、等）を指定することができる。従って、通信構成要素３６１は、少なくともＵＬＬ通信（例えば、ＵＬＬ  ＬＴＥ）を使用して（例えば、ＣＣ５０８を通して）プライマリセルおよび／または（例えば、ＣＣ５０９を通して）セカンダリセルを使用するｅＮＢ５０４と通信するために、１つまたは複数のパラメータを利用することができる。例えば、ＵＬＬ  ＬＴＥ通信は、１つのシンボル、２つのシンボル、１つのスロット、等の期間である、ＴＴＩに基づくことができ、レガシーＬＴＥは、期間における１つのサブフレームであるＴＴＩに基づき得る。従って、通信構成要素３６１は、複数のＣＣを通してレガシーおよび／またはＵＬＬ通信を別個に管理することができる。
【００５４】
[0061]一例では、通信構成要素３６１は、（少なくともＵＬＬ  ＬＴＥを使用して第２のセルＣＣ５０９を通して通信するためにモニタすることを含み得る）少なくともＵＬＬ  ＬＴＥを使用してセカンダリセルと通信する間に、（ＵＬＬおよびレガシーＬＴＥを使用してプライマリセルＣＣ５０８を通して通信のためにモニタすることを含み得る）ＵＬＬおよびレガシーＬＴＥを使用してプライマリセル（および／またはｐＳｃｅｌｌとして本明細書で呼ばれる、ＰＵＣＣＨ／ｕＰＵＣＣＨを搬送する第２のプライマリセル）を通して通信することができる。別の例では、通信構成要素３６１は、（少なくともレガシーＬＴＥを使用してセカンダリセルＣＣ５０９を通して通信のためにモニタすることを含み得る）レガシーＬＴＥを使用してセカンダリセルを通して通信することができる。従って例えば、通信構成要素３６１は、以下の通信タイプ構成のうちの１つまたは複数に基づいて（例えば、ｅＮＢ５０４および／または１つまたは複数の他のｅＮＢの）ＰＣｅｌｌおよびＳＣｅｌｌ、あるいは関連するＰＣｅｌｌ  ＣＣまたはＳＣｅｌｌ  ＣＣと通信し得る：（１）レガシー技術を使用するＰＣｅｌｌおよびＵＬＬ（およびレガシー）技術を使用するＳＣｅｌｌ；（２）ＵＬＬ（およびレガシー）技術を使用するＰＣｅｌｌおよびレガシー技術を使用するＳＣｅｌｌ；（３）ＵＬＬ（およびレガシー）技術を使用するＰＣｅｌｌおよびＵＬＬ（およびレガシー）技術を使用するＳＣｅｌｌ。追加の構成が２つよりも多くのＣＣのためにおよび／または複数の接続性において可能であることは諒解されたい。一例では、通信構成要素３６１は、受信した構成に基づいて、通信のためにＳＣｅｌｌを通してレガシーＬＴＥをモニタすることができるが、ＳＣｅｌｌは、他のＣＣを通して他のＵＥへＵＬＬ通信を提供し得る。同様に、通信構成要素３６１は、受信した構成に基づいて、通信のためにＳＣｅｌｌを通してＵＬＬ  ＬＴＥをモニタすることができるが、ＳＣｅｌｌは、他のＣＣを通して他のＵＥにレガシー通信を提供し得る。
【００５５】
[0062]加えて、通信タイプ構成は、（例えば、異なるＣＣが異なるアップリンク／ダウンリンクサブフレーム構成および／または異なるフレーム構成を有することができるので、ＣＣを通してサブフレーム／フレーム構成に部分的に基づき得る。加えて、一例では、通信構成要素３６１は、ＣＣ５０８、５０９のアップリンク部分上でレガシー技術を使用し、ＣＣ５０８、５０９のダウンリンク上でＵＬＬ（およびレガシー）技術を使用してＰＣｅｌｌおよび／またはＳＣｅｌｌと通信し得る、および／または逆も同様である。
【００５６】
[0063]一例では、ブロック６０８で、ＵＥ５０２は、プライマリセルまたはセカンダリセルとのレガシー通信をアクティベートするためのアクティベーションコマンドおよび／またはプライマリセルまたはセカンダリセルとのＵＬＬ通信をデアクティベートするためのデアクティベーションコマンドをオプションで受信し得る。一態様では、通信アクティベート／デアクティベート構成要素５１２は、プロセッサ５０３、メモリ５０５、および／またはトランシーバ５０６とともに、（例えば、本明細書でさらに説明されるように、ｅＮＢ５０４から）プライマリセルまたはセカンダリセルとのレガシー通信をアクティベートするためのアクティベーションコマンドおよび／またはプライマリセルまたはセカンダリセルとのＵＬＬ通信をデアクティベートするためのデアクティベーションコマンドをオプションで受信し得る。例えば、通信構成要素３６１は、プライマリセル（例えば、プライマリセルＣＣ５０８）、セカンダリセル（例えば、セカンダリセルＣＣ５０９）、および／または他のＣＣを通してレガシーおよび／またはＵＬＬリソースにおけるアクティベーションコマンドおよび／またはデアクティベーションコマンドを受信し得る。一例では、通信アクティベーションおよび／またはデアクティベーション構成要素５１２は、ｅＮＢ５０４からセカンダリセルにおけるレガシーおよび／またはＵＬＬ通信のアクティベーション／デアクティベーションを要求することができる。通信アクティベート／デアクティベート構成要素５１２は、適宜に、セカンダリセルＣＣ５０９を通して（例えば、対応するアップリンクおよび／またはダウンリンクＣＣを通して）レガシー通信をアクティブにするおよび／またはＵＬＬ通信をデアクティベートすることができる。これは、セカンダリセルＣＣ５０９を通してＵＬＬ通信のために（例えば、ＵＬＬ通信のＴＴＩでの）モニタすることを控えること、セカンダリセルＣＣ５０９を通してＵＬＬ通信を送信することを控えることと、等を含み得る。この点について、ＣＣを通してＵＬＬ通信を使用してレガシー通信を確立するためのレイテンシは、第２のセルにおけるＣＣ全体を確立することより小さくすることができる。
【００５７】
[0064]加えて、例えば、ＵＬＬ通信がデアクティベートされる場合、通信アクティベート／デアクティベート構成要素５１２は、ｅＮＢまたはセカンダリセル５０９に関係する別のｅＮＢからセカンダリセルＣＣ５０９を通してＵＬＬ通信をアクティベートするコマンドを受信し得る（および／またはセカンダリセルにおけるレガシー通信をデアクティベートするコマンドを受信し得る）。したがって、通信アクティベート／デアクティベート構成要素５１２は、コマンドに基づいて、セカンダリセルＣＣ５０９におけるレガシー通信をデアクティベートするおよび／またはＵＬＬ通信をアクティベートすることができる。この点について、ＣＣを通してレガシー通信を使用してＵＬＬ通信を確立するためのレイテンシは、セカンダリセルにおけるＣＣ全体を確立することより小さくできる。さらに、アクティベーション／デアクティベーションコマンドは、どんな場合でも、（例えば、セカンダリセルＣＣ５０９のダウンリンクＣＣ部分を通して）ダウンリンク通信、（例えば、セカンダリセルＣＣ５０９のアップリンクＣＣ部分を通して）アップリンク通信、その両方、等に提供することができる。
【００５８】
[0065]説明したように、例えば、ＵＬＬまたはレガシー通信は、セカンダリセルにおけるダウンリンクおよびアップリンク通信の両方のために、またはダウンリンクまたはアップリンク通信のうちの１つのためにアクティベートおよび／またはデアクティベートされることができる。ＵＬＬまたはレガシー通信がダウンリンクまたはアップリンクのためにアクティベートおよび／またはデアクティベートされる場合、ＵＬＬまたはレガシー構成はまた、サブフレーム依存であることができる（例えば、レガシーのみの通信がいくつかのサブフレームにおいてアクティベートされる一方、サブフレームがダウンリンクおよび／またはアップリンク通信のために構成されるかどうかに依存してレガシーおよびＵＬＬが他のサブフレームにおいてアクティベートされる）。
【００５９】
[0066]ブロック６１０で、ＵＥ５０２は、（例えば、対応するＣＣ５０９を通して）プライマリセルまたはセカンダリセルとのレガシー通信をアクティベートするための、またはプライマリセルまたはセカンダリセルとのＵＬＬ通信をデアクティベートするためのレイテンシをオプションとして決定し得る。一態様では、レイテンシ決定構成要素５１４は、プロセッサ５０３および／またはメモリ５０５とともに、プライマリセルとのレガシー通信をアクティベートするための、またはプライマリセルまたはセカンダリセルとのＵＬＬ通信をデアクティベートするためのレイテンシを決定することができる。例えば、ＵＥ５０２がセカンダリセルと通信していない場合、レイテンシ決定構成要素５１４は、ＵＥ５０２がレガシー通信をアクティベートする前にセカンダリセルと通信している場合より長い、レガシー通信をアクティベートするためのレイテンシを決定することができる。別の例では、ＵＥ５０２がＵＬＬ通信をデアクティベートした後にセカンダリセルと通信していない場合、レイテンシ決定構成要素５１４は、ＵＥがＵＬＬ通信をデアクティベートした後に、（例えば、レガシー通信を使用して）セカンダリセルと通信を継続する場合よりも長い、レガシー通信をデアクティベートするためのレイテンシを決定することができる。レイテンシは、ＵＬＬ通信の再アクティベーションおよび／またはレガシー通信のデアクティベーションのために同様に決定されることができる。
【００６０】
[0067]また別の例では、レイテンシ決定構成要素５１４は、アクティベーションまたはデアクティベーションコマンドが（例えば、第１のＴＴＩに基づいて）レガシー通信のためまたは（第２のＴＴＩに基づいて）ＵＬＬ通信のためであるかどうかに基づいて、（例えば、対応するＣＣ５０９を通して）セカンダリセル上のレガシーまたはＵＬＬ通信をアクティベートまたはデアクティベートするためのレイテンシを決定することができる。例えば、アクティベーション／デアクティベーションコマンドがＵＬＬ通信のためのものである場合、レイテンシ決定構成要素５１４は、アクティベーション／デアクティベーションコマンドがレイテンシ通信のためのものである場合よりも短いレイテンシを決定することができる。別の例では、レイテンシ決定構成要素５１４は、ＵＥ５０２が、アクティベートおよび／またはデアクティベートする前および後に少なくとも１つのＴＴＩを使用して第２のセルと通信するかどうかに基づいてレイテンシを決定し得る。どんな場合でも、通信構成要素３６１は、いつ（例えば、どのＴＴＩにおいて）アクティベートされたリソースを通して通信（送信および／または受信）するか、および／またはデアクティベートされたリソースを通して通信を控えるかを決定する際のレイテンシを利用することができる。
【００６１】
[0068]図７は、レガシーおよび／またはＵＬＬ通信を使用してＵＥと（例えば、ｅＮＢ５０４によって）通信するための例示の方法７００を示す。ブロック７０２で、ｅＮＢは、ＵＥのために構成された複数ＣＣのうちの少なくとも１つのＣＣを通して通信するためにＵＥを構成し得る。一態様では、構成構成要素５２０（図５）は、プロセッサ５５３、メモリ５５５、および／またはトランシーバ５５６とともに、ＵＥ５０２のために構成された複数のＣＣのうちの少なくとも１つのＣＣを通して通信するためにＵＥ５０２を構成することができる。例えば、構成構成要素５２０は、キャリアアグリゲーションにおけるおよび／または複数の接続性におけるＣＣ５０９を通して（例えば、ｅＮＢ５０４または別のｅＮＢと関連する）セカンダリセルとおよび／またはＣＣ５０８を通してプライマリセルと通信するための情報を指定することができる。説明されるように、例えば、情報は、周波数帯、セル情報、通信技術、アップリンク／ダウンリンク制御および／またはデータ通信のためのリソース、または他のパラメータを含む。
【００６２】
[0069]ブロック７０４で、ｅＮＢ５０４は、ＵＬＬ通信を使用して少なくとも１つのＣＣを通してＵＥと通信し得る。一態様では、スケジューリング構成要素３０２は、プロセッサ５５３、メモリ５５５、および／またはトランシーバ５５６とともに、（例えば、ＵＬＬタイムラインに基づいて）以上で説明されるように、ＵＬＬ通信を使用して少なくとも１つのＣＣ５０８および／または５０９を通してＵＥ５０２と通信することができる。これは、ＵＥ５０２に送られる構成に少なくとも部分的に基づくことができる。
【００６３】
[0070]ブロック７０６で、ｅＮＢ５０４は、少なくとも１つのＣＣを通してＵＥとのレガシー通信をアクティベートし得る。一態様では、通信アクティベート／デアクティベート構成要素５２２は、プロセッサ５５３、メモリ５５５、および／またはトランシーバ５５６とともに、少なくとも１つのＣＣ５０８、５０９を通してＵＥ５０２とのレガシー通信をアクティベートすることができる。例えば、ブロック７０６におけるレガシー通信をアクティベートすることにおいて、ｅＮＢ５０４は、ブロック７０８で、レガシー通信をアクティベートするためにＵＥにコマンドをオプションとして送り得る。一態様では、通信アクティベート／デアクティベート構成要素５２２は、プロセッサ５５３、メモリ５５５、および／またはトランシーバ５５６とともに、レガシー通信をアクティベートするためにＵＥにコマンドを送り得る。例えば、通信アクティベート／デアクティベート構成要素５２２は、ＵＥ５０２に、（例えば、ＣＣ５０８および／または５０９を通して）それとのＵＬＬ通信を使用してコマンドを送信することができる。
【００６４】
[0071]ブロック７１０で、ｅＮＢ５０４は、レガシー通信をアクティベートすることに基づいて少なくとも１つのＣＣを通してＵＥとのＵＬＬ通信をオプションとしてデアクティベートし得る。一態様では、通信アクティベート／デアクティベート構成要素５２２は、プロセッサ５５３、メモリ５５５、および／またはトランシーバ５５６とともに、レガシー通信をアクティベートすることに基づいて、少なくとも１つのＣＣ５０８、５０９を通してＵＥとのＵＬＬ通信をデアクティベートすることができる。例えば、ブロック７１０でＵＬＬ通信をデアクティベートすることにおいて、ｅＮＢ５０４は、ブロック７１２で、ＵＬＬ通信をデアクティベートするためにＵＥにコマンドをオプションとして送り得る。一態様では、通信アクティベート／デアクティベート構成要素５２２は、プロセッサ５５３、メモリ５５５、および／またはトランシーバ５５６とともに、（例えば、ＣＣ５０８および／または５０９を通して）ＵＬＬまたはレガシー通信を使用してＵＥ５０２にコマンドを送信することができる。ｅＮＢ５０４がＵＥ５０２とのＵＬＬ通信をデアクティベートするときの他のＵＥとのＵＬＬ通信を維持することができる。
【００６５】
[0072]加えて、通信アクティベート／デアクティベート構成要素５２２は、そのうえＵＥ５０２のためのセカンダリセルにおけるレガシー通信をデアクティベートすること、および／またはＵＬＬ通信をアクティベートすることが同様にでき、それは、ＵＥに関連するコマンドを送ることを含みうる。どんな場合でも、一例では、通信アクティベート／デアクティベート構成要素５２２は、ＵＥ５０２からの要求に基づいて、ＵＥ５０２からのバッファ状態レポートに基づいて、等に基づいて、ＵＬＬおよび／またはレガシー通信をアクティベート／デアクティベートするように決定し得る。例えば、ＵＬＬ通信がアクティブである場合の、ｅＮＢ５０４が閾値容量を下回るバッファ状態を示す、ＵＥ５０２からのバッファ状態レポートを受信する場合には、通信アクティベート／デアクティベート構成要素５２２は、ＵＥ５０２のためのセカンダリセルＣＣ５０９を通してレガシー通信をアクティベートし得るおよび／またはＵＬＬ通信をデアクティベートし得る（例えば、および／またはセカンダリセルＣＣ５０９全体をデアクティベートし得る）。同様に、例えば、レガシー通信がアクティベートである場合の、ｅＮＢ５０４が、バッファ状態が閾値容量に達したことを示す、ＵＥ５０２からのバッファ状態レポートを受信した場合には、通信アクティベート／デアクティベート構成要素５２２は、ＵＥ５０２のためのセカンダリセルＣＣ５０９を通してレガシー通信をデアクティベートし得るおよび／またはＵＬＬ通信をアクティベートし得る。加えて、一例では、通信アクティベート／デアクティベート構成要素５２２は、セカンダリセルＣＣ５０９を通して通信されるトラフィックのタイプに基づいてレガシーおよび／またはＵＬＬ通信をアクティベート／デアクティベートすることができる（例えば、メディアトラフィックのためにＵＬＬ通信をアクティベートし、より低い帯域幅要件を持つトラフィックのためにレガシー通信をアクティベートする、等）。
【００６６】
[0073]したがって、ｅＮＢ５０４は、キャリアアグリゲーションにおけるＵＥ５０２と所与のＣＣ５０８、５０９を通してＵＬＬおよび／またはレガシー通信を構成することができる。１つのＣＣ（例えば、プライマリセルＣＣ５０８）がＵＬＬおよびレガシー通信を利用する一方、別のＣＣ（例えば、セカンダリセルＣＣ５０９）がＵＬＬまたはレガシー通信を利用することができることは諒解されたい。ｅＮＢ５０４は、本明細書で説明されるようにＵＬＬまたはレガシー通信を適宜に、アクティベートおよび／またはデアクティベートすることができる。ＣＣが方向（例えば、ダウンリンクＵＬＬ）のためのみに構成されるＵＬＬである一方、異なる方向（例えば、アップリンクＵＬＬ）のＵＬＬのための異なるＣＣに依存し得ることはまた諒解されたい。例えば、ＵＥが共通探索空間、例えば、プライマリセルＣＣ５０８、制御チャネルを搬送し得るプライマリ第２のＣＣ（ｐＳｃｅｌｌ）、等のためにモニタするＣＣは、構成される場合、ＵＬＬが両方のリンク（ダウンリンクおよびアップリンク）のために構成されるように制限され得る。レガシー通信のために構成されるプライマリセルＣＣがＵＬＬ通信のためのプライマリセルＣＣと同じであるように制限されることができることは諒解されたい。代わりに、レガシー通信のためのプライマリセルＣＣおよびＵＬＬ通信のためのプライマリセルＣＣは、本明細書で説明するように、別個に管理および構成されることができる。例として、ＵＥは、３つのＣＣ：ＣＣ１、ＣＣ２、およびＣＣ３で構成され得る。ＣＣ１は、レガシー通信のためのプライマリセルＣＣとして構成され得る一方、ＣＣ２は、ＵＬＬ通信のためのプライマリセルＣＣとして構成され得る。ＣＣ３は、セカンダリセルＣＣとして構成され得る。従って、本明細書で説明するような例では、通信アクティベート／デアクティベート構成要素５２２は、ＣＣ２上のＵＬＬ通信をアクティベート／デアクティベートするためにＣＣ１を通して命令を受信し得る、および／またはその逆も同様である。どんな場合でも、説明されるように、１つまたは複数のｅＮＢは、（例えば、以上のブロック６０２および／または７０２に関連して説明されるように）ＵＥに構成を提供し得る。
【００６７】
[0074]加えて、クロスキャリアスケジューリングは、ＵＬＬ通信のために使用可能でありうる。つまり、ＵＬＬ制御チャネルは、異なるＣＣ（例えば、セカンダリセルＣＣ５０９）上でＵＬＬ通信（ダウンリンクまたはアップリンク）をスケジュールするためにＣＣ（例えば、ｅＮＢ５０４によるプライマリセルＣＣ５０８）を通して送信されることができる。ＵＬＬ通信（ダウンリンクまたはアップリンク）が（例えば、ｅＮＢ５０４による）ＣＣまたは別のＣＣ上でレガシー通信に関連する制御チャネルによるＣＣのためにスケジュールされ得ることがさらに可能である。同様に、レガシー通信（ダウンリンクまたはアップリンク）がＵＬＬ通信に関連する制御チャネルによってスケジュールされ得ることがさらに可能である。
【００６８】
[0075]開示されたプロセスにおけるステップの特定の順序または階層は、例示的な手法の例示であることを理解されたい。設計上の選好に基づいて、プロセスにおけるステップの特定の順序または階層は再構成されてもよいことを理解されたい。さらに、いくつかのステップは、組み合わされるか、または省略される場合がある。添付の方法クレームは、様々なステップの要素を例示的な順序において提示したものであり、提示された特定の順序または階層に限定されるものではない。
【００６９】
[0076]以上の説明は、本明細書で説明された様々な態様を当業者が実施できるようにするために提供されている。これらの態様への様々な変更は当業者には容易に明らかであり、本明細書で定義された一般的原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指している。当業者に知られている、または後に知られることになる、本明細書で説明された様々な態様の要素に対するすべての構造的および機能的均等物が、参照によって本明細書に明確に組み込まれ、特許請求の範囲によって包含されることが意図される。その上、本明細書において開示されるものは、そのような開示が特許請求の範囲において明示的に列挙されているかどうかにかかわらず、公に供されることは意図されていない。「ための手段」という句を使用して要素が明確に列挙されていない限り、いかなる請求項要素もミーンズプラスファンクションとして解釈されるべきではない。
以下に、本願出願の当初の特許請求の範囲に記載された発明を付記する。
［Ｃ１］
複数のコンポーネントキャリア（ＣＣ）を通してウルトラローレイテンシ（ＵＬＬ）通信を管理する方法であって、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための、少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と
を備える、方法。
［Ｃ２］
前記受信した構成に基づいて、レガシー通信のための前記セカンダリセルと通信することをさらに備える、
［Ｃ１］に記載の方法。
［Ｃ３］
前記受信することは、
前記プライマリセルまたは前記セカンダリセルのうちの前記少なくとも１つとのレガシー通信をアクティベートするために、前記プライマリセルまたは前記セカンダリセルのうちの前記少なくとも１つのためのアクティベーションコマンドを受信することをさらに備える、
［Ｃ１］に記載の方法。
［Ｃ４］
前記プライマリセルまたは前記セカンダリセルのうちの前記少なくとも１つとＵＬＬ通信するためのデアクティベーションコマンドを受信することをさらに備える、
［Ｃ１］に記載の方法。
［Ｃ５］
前記セカンダリセルとのＵＬＬ通信をデアクティベートするとともに、前記セカンダリセルとのレガシー通信をアクティベートするためのアクティベーションコマンドを受信することをさらに備える、
［Ｃ４］に記載の方法。
［Ｃ６］
前記プライマリセルまたは前記セカンダリセルのうちの前記少なくとも１つとのレガシーまたはＵＬＬ通信をアクティベートまたはデアクティベートするためのレイテンシを決定することをさらに備え、ここで、前記レイテンシは、
前記アクティベートすることまたは前記デアクティベートすることが前記第１のＴＴＩまたは前記第２のＴＴＩに基づく通信のためであるかどうか、または
前記ＵＥが前記アクティベートすることまたは前記デアクティベートすることの前および後に少なくとも１つのＴＴＩを使用してセルと通信するかどうか
のうちの少なくとも１つの関数である、
［Ｃ１］に記載の方法。
［Ｃ７］
前記レイテンシを決定することは、
前記ＵＥが前記アクティベートする前にレガシー通信またはＵＬＬ通信を使用して前記セルと通信していない時の第１のレイテンシを決定すること、または
前記ＵＥが前記アクティベートする前にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
［Ｃ６］に記載の方法。
［Ｃ８］
前記レイテンシを決定することは、
前記ＵＥが前記アクティベートした後にレガシー通信またはＵＬＬ通信を使用して前記セルと通信していない時の第１のレイテンシを決定すること、または
前記ＵＥが前記アクティベートした後にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
［Ｃ６］に記載の方法。
［Ｃ９］
ＵＬＬ通信のための前記プライマリセルまたは前記セカンダリセルのうちの前記少なくとも１つと通信することは、ダウンリンク通信およびアップリンク通信の両方のために前記ＵＬＬ通信を使用して前記プライマリセルまたは前記セカンダリセルのうちの前記少なくとも１つと通信することを備える、
［Ｃ１］に記載の方法。
［Ｃ１０］
ＵＬＬ通信のための前記プライマリセルまたは前記セカンダリセルのうちの前記少なくとも１つと通信することは、ダウンリンク通信またはアップリンク通信のいずれかのために前記ＵＬＬ通信を使用して前記プライマリセルまたは前記セカンダリセルのうちの前記少なくとも１つと通信することを備える、
［Ｃ１］に記載の方法。
［Ｃ１１］
前記第２のＴＴＩは、１つのシンボル、２つのシンボル、または１つのスロットのうちの少なくとも１つを備える、
［Ｃ１］に記載の方法。
［Ｃ１２］
複数のコンポーネントキャリア（ＣＣ）を通してウルトラローレイテンシ（ＵＬＬ）通信を管理する装置であって、
少なくとも１つのプロセッサと、
前記少なくとも１つのプロセッサと通信可能に結合されるメモリと
を備え、前記少なくとも１つのプロセッサは、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と
を行うように構成される、装置。
［Ｃ１３］
前記少なくとも１つのプロセッサは、前記受信した構成に基づいて、レガシー通信のための前記セカンダリセルと通信することを行うようにさらに構成される、
［Ｃ１２］に記載の装置。
［Ｃ１４］
前記装置は、トランシーバをさらに備え、前記少なくとも１つのプロセッサは、ワイヤレスネットワークにおける信号を通信するために、バスを介して、前記トランシーバと通信可能に結合され、前記少なくとも１つのプロセッサは、前記トランシーバを介して、前記プライマリセルまたは前記セカンダリセルのうちの前記少なくとも１つとのレガシー通信をアクティベートするための、前記プライマリセルまたは前記セカンダリセルのうちの前記少なくとも１つのための、少なくとも部分的にアクティベーションコマンドを通じて前記構成を受信することを行うようにさらに構成される、
［Ｃ１３］に記載の装置。
［Ｃ１５］
前記少なくとも１つのプロセッサは、前記プライマリセルまたは前記セカンダリセルのうちの少なくとも１つとのＵＬＬ通信のためのデアクティベーションコマンドを受信することを行うように構成される、
［Ｃ１２］に記載の装置。
［Ｃ１６］
前記少なくとも１つのプロセッサは、前記プライマリセルまたは前記セカンダリセルのうちの前記少なくとも１つとのＵＬＬ通信をデアクティベートするとともに、前記プライマリセルまたは前記セカンダリセルのうちの前記少なくとも１つとのレガシー通信をアクティベートするためのアクティベーションコマンドを受信することを行うようにさらに構成される、
［Ｃ１５］に記載の装置。
［Ｃ１７］
前記少なくとも１つのプロセッサは、前記プライマリセルまたは前記セカンダリセルのうちの前記少なくとも１つとのレガシーまたはＵＬＬ通信をアクティベートまたはデアクティベートするためのレイテンシを決定することを行うようにさらに構成され、ここで、前記レイテンシは、
前記アクティベートすることまたは前記デアクティベートすることが前記第１のＴＴＩまたは前記第２のＴＴＩに基づく通信のためであるかどうか、または
前記ＵＥが前記アクティベートすることまたは前記デアクティベートすることの前および後に少なくとも１つのＴＴＩを使用してセルと通信するかどうか
のうちの少なくとも１つの関数である、
［Ｃ１２］に記載の装置。
［Ｃ１８］
前記レイテンシを決定することは、
前記ＵＥが前記アクティベートする前にレガシー通信またはＵＬＬ通信を使用して前記セルと通信していない時の第１のレイテンシを決定すること、または
前記ＵＥが前記アクティベートする前にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
［Ｃ１７］に記載の装置。
［Ｃ１９］
前記レイテンシを決定することは、
前記ＵＥが前記アクティベートした後にレガシー通信またはＵＬＬ通信を使用して前記セルと通信していない時の第１のレイテンシを決定すること、または
前記ＵＥが前記アクティベートした後にレガシー通信またはＵＬＬ通信のうちの１つを使用して前記セルと通信しているときの第２のレイテンシを決定すること
のうちの少なくとも１つを備え、前記第２のレイテンシは、前記第１のレイテンシ未満である、
［Ｃ１７］に記載の装置。
［Ｃ２０］
前記少なくとも１つのプロセッサは、ダウンリンク通信およびアップリンク通信の両方のために前記ＵＬＬ通信を使用して前記プライマリセルまたは前記セカンダリセルのうちの少なくとも１つと少なくとも部分的に通信することにより、ＵＬＬ通信のための前記プライマリセルまたは前記セカンダリセルのうちの前記少なくとも１つと通信することを行うように構成される、
［Ｃ１２］に記載の装置。
［Ｃ２１］
前記少なくとも１つのプロセッサは、ダウンリンク通信またはアップリンク通信のいずれかのために前記ＵＬＬ通信を使用して前記プライマリセルまたは前記セカンダリセルのうちの前記少なくとも１つと通信することを行うように構成される、
［Ｃ１２］に記載の装置。
［Ｃ２２］
前記第２のＴＴＩは、１つのシンボル、２つのシンボル、または１つのスロットのうちの少なくとも１つを備える、
［Ｃ１２］に記載の装置。
［Ｃ２３］
複数のコンポーネントキャリア（ＣＣ）を通してウルトラローレイテンシ（ＵＬＬ）通信を管理する装置であって、
ＣＣのセットをアグリゲートするための構成を受信するための手段、ここにおいて、前記ＣＣのセットは、少なくともプライマリセルとセカンダリセルとを含む、と、
前記受信した構成に基づいてレガシー通信のための少なくとも前記プライマリセルと通信するための手段、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信するための手段、ここにおいて、前記ＵＬＬ通信は、前記第１の期間未満である第２の期間を有する第２のＴＴＩに基づく、と
を備える、装置。
［Ｃ２４］
前記受信した構成に基づいて、レガシー通信のための前記セカンダリセルと通信するための手段をさらに備える、
［Ｃ２３］に記載の装置。
［Ｃ２５］
前記受信することは、
前記プライマリセルまたは前記セカンダリセルのうちの前記少なくとも１つとのレガシー通信をアクティベートするために、前記プライマリセルまたは前記セカンダリセルのうちの前記少なくとも１つのためのアクティベーションコマンドを受信することをさらに備える、
［Ｃ２４］に記載の装置。
［Ｃ２６］
前記プライマリセルまたは前記セカンダリセルのうちの前記少なくとも１つとＵＬＬ通信するためのデアクティベーションコマンドを受信するための手段をさらに備える、
［Ｃ２３］に記載の装置。
［Ｃ２７］
複数のコンポーネントキャリア（ＣＣ）を通してウルトラローレイテンシ（ＵＬＬ）通信を管理するコンピュータ実行可能コードを備えるコンピュータ可読記憶媒体であって、前記コンピュータ実行可能コードは、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と
を行うコードを備える、コンピュータ可読記憶媒体。
［Ｃ２８］
前記受信した構成に基づいて、レガシー通信のための前記セカンダリセルと通信することを行うコードをさらに備える、
［Ｃ２７］に記載のコンピュータ可読記憶媒体。
［Ｃ２９］
前記プライマリセルまたは前記セカンダリセルのうちの前記少なくとも１つとのレガシー通信をアクティベートするために、前記プライマリセルまたは前記セカンダリセルのうちの前記少なくとも１つのためのアクティベーションコマンドを受信することを行うコードをさらに備える、
［Ｃ２７］に記載のコンピュータ可読記憶媒体。
［Ｃ３０］
前記プライマリセルまたは前記セカンダリセルのうちの前記少なくとも１つとＵＬＬ通信するためのデアクティベーションコマンドを受信することを行うコードをさらに備える、
［Ｃ２７］に記載のコンピュータ可読記憶媒体。
【図１】
2018164308.tif 000003
【図２】
2018164308.tif 000004
【図３】
2018164308.tif 000005
【図４】
2018164308.tif 000006
【図５】
2018164308.tif 000007
【図６】
2018164308.tif 000008
【図７】
2018164308.tif 000009
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
複数のコンポーネントキャリア（ＣＣ）を通してウルトラローレイテンシ（ＵＬＬ）通信を管理する方法であって、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための、少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と、
前記プライマリセルまたは前記セカンダリセルのうちの前記少なくとも１つとのＵＬＬ通信についてデアクティベーションコマンドを受信することと、
前記デアクティベーションコマンドを受信することに少なくとも部分的に基づいて、前記プライマリセルまたは前セカンダリセルのうちの前記少なくとも１つとの前記ＵＬＬ通信をデアクティベートすることと
を備える、方法。
【請求項２】
ＵＬＬ通信のための前記プライマリセルまたは前記セカンダリセルのうちの少なくとも１つと通信することは、制御チャネルを通して、前記プライマリセルまたは前記セカンダリセルのうちの前記少なくとも１つとの前記ＵＬＬ通信についてアクティベーションコマンドを受信することを備える、
請求項１に記載の方法。
【請求項３】
前記デアクティベーションコマンドを受信することは、ＵＬＬリソースを通して前記セカンダリセルから前記デアクティベーションコマンドを受信することを備える、
請求項１に記載の方法。
【請求項４】
前記ＵＬＬリソースを通して前記セカンダリセルから、前記ＵＬＬ通信のための再アクティベーションコマンドを受信することをさらに備える、
請求項３に記載の方法。
【請求項５】
前記受信した構成に基づいて、前記レガシー通信のための前記セカンダリセルと通信することをさらに備える、
請求項１に記載の方法。
【請求項６】
前記プライマリセルまたは前記セカンダリセルのうちの前記少なくとも１つとの前記ＵＬＬ通信をデアクティベートするためのレイテンシを決定することをさらに備え、ここで、前記レイテンシは、前記デアクティベートすることが前記第２のＴＴＩに基づく通信のためであると決定する関数である、
請求項１に記載の方法。
【請求項７】
ＵＬＬ通信のための前記プライマリセルまたは前記セカンダリセルのうちの前記少なくとも１つと通信することは、ダウンリンク通信およびアップリンク通信の両方のために前記ＵＬＬ通信を使用して前記プライマリセルまたは前記セカンダリセルのうちの前記少なくとも１つと通信することを備える、
請求項１に記載の方法。
【請求項８】
ＵＬＬ通信のための前記プライマリセルまたは前記セカンダリセルのうちの前記少なくとも１つと通信することは、ダウンリンク通信またはアップリンク通信のいずれかのために前記ＵＬＬ通信を使用して前記プライマリセルまたは前記セカンダリセルのうちの前記少なくとも１つと通信することを備える、
請求項１に記載の方法。
【請求項９】
前記第２のＴＴＩは、１つのシンボル、２つのシンボル、または１つのスロットのうちの少なくとも１つを備える、
請求項１に記載の方法。
【請求項１０】
前記デアクティベーションコマンドを受信することは、前記レガシー通信に関連付けられた制御チャネル上で前記デアクティベーションコマンドを受信することを備える、
請求項１に記載の方法。
【請求項１１】
前記デアクティベーションコマンドは、前記ＵＬＬ通信に関連付けられた制御チャネル上で前記デアクティベーションコマンドを受信することを備える、
請求項１に記載の方法。
【請求項１２】
前記ＵＬＬリソースを通して前記セカンダリセルから、前記ＵＬＬ通信のためのアクティベーションコマンドを受信することをさらに備え、前記ＵＬＬ通信のために前記通信することは、前記アクティベーションコマンドを受信すること少なくとも部分的に基づいて前記ＵＬＬ通信のための前記セカンダリセルと通信することを備える、
請求項１に記載の方法。
【請求項１３】
前記アクティベーションコマンドは、前記レガシー通信に関連付けられた制御チャネル上で前記アクティベーションコマンドを受信することを備える、
請求項１２に記載の方法。
【請求項１４】
前記アクティベーションコマンドを受信することは、前記ＵＬＬ通信に関連付けられた制御チャネル上で前記アクティベーションコマンドを受信することを備える、
請求項１２に記載の方法。
【請求項１５】
複数のコンポーネントキャリア（ＣＣ）を通してウルトラローレイテンシ（ＵＬＬ）通信を管理する装置であって、
少なくとも１つのプロセッサと、
前記少なくとも１つのプロセッサと通信可能に結合されるメモリと
を備え、前記少なくとも１つのプロセッサは、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と、
前記プライマリセルまたは前記セカンダリセルのうちの前記少なくとも１つとのＵＬＬ通信についてデアクティベーションコマンドを受信することと、
前記デアクティベーションコマンドを受信することに少なくとも部分的に基づいて、前記プライマリセルまたは前セカンダリセルのうちの前記少なくとも１つとの前記ＵＬＬ通信をデアクティベートすることと
を行うように構成される、装置。
【請求項１６】
前記少なくとも１つのプロセッサは、制御チャネルを通して、前記プライマリセルまたは前記セカンダリセルのうちの前記少なくとも１つとの前記ＵＬＬ通信についてアクティベーションコマンドを受信することによって少なくとも部分的にＵＬＬ通信のための前記プライマリセルまたは前記セカンダリセルのうちの少なくとも１つと通信することを行うように構成される、
請求項１５に記載の装置。
【請求項１７】
前記少なくとも１つのプロセッサは、ＵＬＬリソースを通して前記セカンダリセルから前記デアクティベーションコマンドを受信することを行うように構成される、
請求項１５に記載の装置。
【請求項１８】
前記少なくとも１つのプロセッサは、前記ＵＬＬリソースを通して前記セカンダリセルから、前記ＵＬＬ通信のための再アクティベーションコマンドを受信することを行うように構成される、
請求項１７に記載の装置。
【請求項１９】
前記少なくとも１つのプロセッサは、前記受信した構成に基づいて、前記レガシー通信のための前記セカンダリセルと通信するようにさらに構成される、
請求項１５に記載の装置。
【請求項２０】
前記少なくとも１つのプロセッサは、前記プライマリセルまたは前記セカンダリセルのうちの前記少なくとも１つとのＵＬＬ通信をデアクティベートするためのレイテンシを決定することを行うように構成され、前記レイテンシは、前記デアクティベートすることが前記第２のＴＴＩに基づく通信のためであると決定する関数である、
請求項１５に記載の装置。
【請求項２１】
前記少なくとも１つのプロセッサは、ダウンリンク通信およびアップリンク通信の両方のために前記ＵＬＬ通信を使用して少なくとも部分的にＵＬＬ通信のための前記プライマリセルまたは前記セカンダリセルのうちの前記少なくとも１つと通信することを行うように構成される、
請求項１５に記載の装置。
【請求項２２】
前記少なくとも１つのプロセッサは、ダウンリンク通信またはアップリンク通信のいずれかのために前記ＵＬＬ通信を使用して少なくとも部分的にＵＬＬ通信ための前記プライマリセルまたは前記セカンダリセルのうちの前記少なくとも１つと通信することを行うように構成される、
請求項１５に記載の装置。
【請求項２３】
前記第２のＴＴＩは、１つのシンボル、２つのシンボル、または１つのスロットのうちの少なくとも１つを備える、
請求項１５に記載の装置。
【請求項２４】
前記少なくとも１つのプロセッサは、前記ＵＬＬ通信に関連付けられた制御チャネルまたは前記レガシー通信に関連付けられた制御チャネルのうちの少なくとも１つ上で前記デアクティベーションコマンドを受信することを行うように構成される、  請求項１５に記載の装置。
【請求項２５】
前記少なくとも１つのプロセッサは、前記ＵＬＬリソースを通して前記セカンダリセルから、前記ＵＬＬ通信のためのアクティベーションコマンドを受信することを行うように構成され、前記少なくとも１つのプロセッサは、前記アクティベーションコマンドを受信すること少なくとも部分的に基づいて前記ＵＬＬ通信のための前記セカンダリセルと通信することを行うように構成される、
請求項１５に記載の装置。
【請求項２６】
前記少なくとも１つのプロセッサは、前記ＵＬＬ通信に関連付けられた制御チャネルまたはレガシー通信に関連付けられた制御チャネルのうちの少なくとも１つ上で前記アクティベーションコマンドを受信することを備える、
請求項２５に記載の装置。
【請求項２７】
複数のコンポーネントキャリア（ＣＣ）を通してウルトラローレイテンシ（ＵＬＬ）通信を管理する装置であって、
ＣＣのセットをアグリゲートするための構成を受信するための手段、ここにおいて、前記ＣＣのセットは、少なくともプライマリセルとセカンダリセルとを含む、と、
前記受信した構成に基づいてレガシー通信のための少なくとも前記プライマリセルと通信するための手段、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信するための手段、ここにおいて、前記ＵＬＬ通信は、前記第１の期間未満である第２の期間を有する第２のＴＴＩに基づく、と、
前記プライマリセルまたは前記セカンダリセルのうちの前記少なくとも１つとのＵＬＬ通信についてデアクティベーションコマンドを受信するための手段と、
前記デアクティベーションコマンドを受信することに少なくとも部分的に基づいて、前記プライマリセルまたは前セカンダリセルのうちの前記少なくとも１つとの前記ＵＬＬ通信をデアクティベートするための手段と
を備える、装置。
【請求項２８】
ＵＬＬ通信のための前記プライマリセルまたは前記セカンダリセルのうちの少なくとも１つと通信するための手段は、制御チャネルを通して、前記プライマリセルまたは前記セカンダリセルのうちの前記少なくとも１つとの前記ＵＬＬ通信についてアクティベーションコマンドを受信するための手段を備える、
請求項２７に記載の装置。
【請求項２９】
複数のコンポーネントキャリア（ＣＣ）を通してウルトラローレイテンシ（ＵＬＬ）通信を管理するコンピュータ実行可能コードを備えるコンピュータ可読記憶媒体であって、前記コンピュータ実行可能コードは、
ＣＣのセットをアグリゲートするための構成を受信すること、ここにおいて、前記ＣＣのセットは、少なくともプライマリセルとセカンダリセルとを含む、と、
前記受信した構成に基づいてレガシー通信のための少なくとも前記プライマリセルと通信すること、ここにおいて、前記レガシー通信は、第１の期間を有する第１の送信時間間隔（ＴＴＩ）に基づく、と、
前記受信した構成に基づいて、ＵＬＬ通信のための前記プライマリセルまたは前記セカンダリセルのうちの少なくとも１つと通信すること、ここにおいて、前記ＵＬＬ通信は、前記第１の期間未満である第２の期間を有する第２のＴＴＩに基づく、と、
前記プライマリセルまたは前記セカンダリセルのうちの前記少なくとも１つとのＵＬＬ通信についてデアクティベーションコマンドを受信することと、
前記デアクティベーションコマンドを受信することに少なくとも部分的に基づいて、前記プライマリセルまたは前セカンダリセルのうちの前記少なくとも１つとの前記ＵＬＬ通信をデアクティベートすることと
を行うためのコードを備える、コンピュータ可読記憶媒体。
【請求項３０】
ＵＬＬ通信のための前記プライマリセルまたは前記セカンダリセルのうちの少なくとも１つと通信することを行うための前記コードは、制御チャネルを通して、前記プライマリセルまたは前記セカンダリセルのうちの前記少なくとも１つとの前記ＵＬＬ通信についてアクティベーションコマンドを受信することを行うためのコードを備える、
請求項２９に記載のコンピュータ可読記憶媒体。